(57)【特許請求の範囲】
【請求項１】
制御コマンドを送信する主制御部と、前記主制御部によって送信された制御コマンドに基づいて所定の処理を行う周辺部と、前記主制御部の認証を行う後段部と、を備える遊技機において、
前記主制御部は、
前記主制御部を識別するための個体識別値を、前記主制御部の予め定められた記憶データに基づいて生成する個体識別値生成手段と、
前記個体識別値生成手段が生成した前記個体識別値を記憶する個体識別値記憶手段と、
前記周辺部に送信した前記制御コマンドの履歴を示す履歴データを、予め定められた履歴生成方式で生成する履歴データ生成手段と、
前記個体識別値記憶手段が記憶している個体識別値と前記履歴データ生成手段が生成した履歴データとの何れか一方を無作為に選択する選択手段と、
前記主制御部の認証に用いる認証情報を、前記選択手段が選択した個体識別値又は履歴データの何れか一方を認証データとして有するように生成する認証情報生成手段と、
前記選択手段が前記個体識別値を選択した場合、前記履歴データ生成手段の履歴生成方式を、予め定められた複数の履歴生成方式の中から予め定められた切替方式で切り替える切替手段と、
前記生成した認証情報と前記制御コマンドを前記後段部に前記周辺部を介して送信する主制御側送信手段と、を備え、
前記後段部は、
前記主制御部の前記個体識別値と一致する期待値を記憶する期待値記憶手段と、
前記周辺部を介して前記主制御部から前記認証情報と前記制御コマンドを受信する後段側受信手段と、
前記主制御部から受信した前記制御コマンドの履歴を示す後段側履歴データを前記主制御部と同一の前記履歴生成方式で生成する後段側履歴データ生成手段と、
前記受信した認証情報の認証データが前記期待値又は前記後段側履歴データと一致しているか否かの判定結果に基づいて、前記主制御部の認証結果を示す後段認証結果データを生成する後段認証結果データ生成手段と、
前記生成した後段認証結果データを前記周辺部に送信する後段側送信手段と、
前記認証データが前記期待値と一致した場合、前記後段側履歴データ生成手段の履歴生成方式を、前記主制御部の切替手段と同様に切り替える後段側切替手段と、を備え、
前記周辺部は、
前記主制御部から受信した前記認証情報と前記制御コマンドを前記後段部に転送する転送手段と、
前記後段部から前記後段認証結果データを受信する周辺側受信手段と、
前記受信した後段認証結果データに応じて前記制御コマンドに基づいた前記所定の処理を行う処理手段と、を備えることを特徴とする遊技機。
【請求項２】
前記主制御部は、前記個体識別値を有する前記認証情報の出現回数を計数する計数手段を備え、
前記後段部は、前記個体識別値を有する前記認証情報の受信回数を計数する後段側計数手段を備え、
前記切替手段は、前記計数手段が計数した出現回数が予め定められた切替条件を満たすときに前記履歴生成方式を切り替え、
前記後段側切替手段は、前記後段側計数手段が計数した受信回数が前記切替条件を満たすときに、前記後段側履歴データ生成手段の履歴生成方式を切り替えるようにしたことを特徴とする請求項１に記載の遊技機。
【請求項３】
前記個体識別値記憶手段は、複数の個体識別値の各々に複数の履歴生成方式を切り替えるための切替情報を対応付けて当該複数の個体識別値を記憶し、
前記期待値記憶手段は、前記複数の個体識別値との対応関係が一致するように、複数の期待値の各々に前記切替情報を対応付けて当該複数の期待値を記憶し、
前記選択手段は、前記個体識別値記憶手段が記憶している複数の個体識別値と前記履歴データ生成手段が生成した履歴データとの中から１つを無作為に選択し、
前記切替手段は、前記生成した認証情報が有する個体識別値に対応付けられた前記切替情報に基づいて履歴データ生成手段の履歴生成方式を切り替え、
前記後段側切替手段は、前記認証データと一致した前記期待値に対応付けられた前記切替情報に基づいて、前記後段側履歴データ生成手段の履歴生成方式を切り替えるようにしたことを特徴とする請求項1に記載の遊技機。
【請求項４】
制御コマンドを送信する主制御部と、前記主制御部によって送信された制御コマンドに基づいて所定の処理を行う周辺部と、前記主制御部の認証を行う後段部と、を備える遊技機において、
前記主制御部は、
前記主制御部を識別するための個体識別値を、前記主制御部の予め定められた記憶データに基づいて生成する個体識別値生成手段と、
前記個体識別値生成手段が生成した前記個体識別値を記憶する個体識別値記憶手段と、
前記周辺部に送信した前記制御コマンドの履歴を示す履歴データを、予め定められた履歴生成方式で生成する履歴データ生成手段と、
前記履歴データ生成手段の履歴生成方式を切り替えるか否かを無作為に決定する決定手段と、
前記決定手段が切り替えないと決定した場合、前記主制御部の認証に用いる認証情報を、前記履歴データ生成手段が生成した履歴データを認証データとして有するように生成する第１認証情報生成手段と、
前記決定手段が切り替えると決定した場合、前記個体識別値記憶手段が記憶している個体識別値を前記認証データとして有するように前記認証情報を生成する第２認証情報生成手段と、
前記決定手段が切り替えると決定した場合、前記履歴データ生成手段の履歴生成方式を、予め定められた複数の履歴生成方式の中から予め定められた切替方式で切り替える切替手段と、
前記第１認証情報生成手段及び前記第２認証情報生成手段が生成した認証情報と前記制御コマンドを前記後段部に前記周辺部を介して送信する主制御側送信手段と、を備え、
前記後段部は、
前記主制御部の前記個体識別値と一致する期待値を記憶する期待値記憶手段と、
前記周辺部を介して前記主制御部から前記認証情報と前記制御コマンドを受信する後段側受信手段と、
前記主制御部から受信した前記制御コマンドの履歴を示す後段側履歴データを前記主制御部と同一の前記履歴生成方式で生成する後段側履歴データ生成手段と、
前記受信した認証情報の認証データが前記期待値又は前記後段側履歴データと一致しているか否かの判定結果に基づいて、前記主制御部の認証結果を示す後段認証結果データを生成する後段認証結果データ生成手段と、
前記生成した後段認証結果データを前記周辺部に送信する後段側送信手段と、前記認証データが前記期待値と一致した場合、前記後段側履歴データ生成手段の履歴生成方式を、前記主制御部の切替手段と同様に切り替える後段側切替手段と、を備え、前記周辺部は、前記主制御部から受信した前記認証情報と前記制御コマンドを前記後段部に転送する転送手段と、
前記後段部から前記後段認証結果データを受信する周辺側受信手段と、
前記受信した後段認証結果データに応じて前記制御コマンドに基づいた前記所定の処理を行う処理手段と、を備えることを特徴とする遊技機。
【請求項５】
前記履歴データが、前記後段部に送信した前記制御コマンドの複数回分の履歴を示すデータであり、前記後段側履歴データが、前記主制御部から受信した前記制御コマンドの複数回分の履歴を示すデータであることを特徴とする請求項１〜４の何れか１項に記載の遊技機。
【請求項６】
制御コマンドを送信する主制御部と、前記主制御部によって送信された制御コマンドに基づいて所定の処理を行う周辺部と、前記主制御部の認証を行う後段部と、を備える請求項１に記載の遊技機の認証方法において、
前記主制御部が処理する工程は、
前記主制御部を識別するための個体識別値を、前記主制御部の予め定められた記憶データに基づいて生成する個体識別値生成工程と、
前記個体識別値生成工程で生成した前記個体識別値を個体識別値記憶手段に記憶する個体識別値記憶工程と、
前記周辺部に送信した前記制御コマンドの履歴を示す履歴データを予め定められた履歴生成方式で生成する履歴データ生成工程と、
前記個体識別値記憶手段が記憶している個体識別値と前記履歴データ生成工程で生成した履歴データとの何れか一方を無作為に選択する選択工程と、
前記主制御部の認証に用いる認証情報を、前記選択工程で選択した個体識別値又は履歴データの何れか一方を認証データとして有するように生成する認証情報生成工程と、
前記選択工程で前記個体識別値を選択した場合、前記履歴データ生成工程の履歴生成方式を、予め定められた複数の履歴生成方式の中から予め定められた切替方式で切り替える切替工程と、
前記生成した認証情報を前記後段部に前記周辺部を介して送信する主制御側送信工程と、を含み、
前記後段部が処理する工程は、
前記主制御部の前記個体識別値と一致する期待値が期待値記憶手段に予め記憶される期待値記憶工程と、
前記主制御部から受信した前記制御コマンドの履歴を示す後段側履歴データを前記主制御部と同一の前記履歴生成方式で生成する後段側履歴データ生成工程と、
前記周辺部を介して前記主制御部から前記認証情報を受信する後段側受信工程と、
前記受信した認証情報の認証データが、前記期待値記憶手段に記憶している期待値又は前記周辺側履歴データと一致しているか否かの判定結果に基づいて、前記主制御部の認証結果を示す後段認証結果データを生成する後段認証結果データ生成工程と、
前記生成した後段認証結果データを前記周辺部に送信する後段側送信工程と、
前記認証データが前記期待値と一致した場合、前記後段側履歴データ生成工程の履歴生成方式を、前記主制御部の切替工程と同様に切り替える後段側切替工程と、を含み、
前記周辺部が処理する工程は、
前記主制御部から受信した前記認証情報と前記制御コマンドを前記後段部に転送する転送工程と、
前記後段部から前記後段認証結果データを受信する周辺側受信工程と、
前記受信した後段認証結果データに応じて前記制御コマンドに基づいた前記所定の処理を行う処理工程と、を含むことを特徴とする遊技機の認証方法。
【請求項７】
制御コマンドを送信する主制御部と、前記主制御部によって送信された制御コマンドに基づいて所定の処理を行う周辺部と、前記主制御部の認証を行う後段部と、を備える請求項４記載の遊技機の認証方法において、
前記主制御部が処理する工程は、
前記主制御部を識別するための個体識別値を、前記主制御部の予め定められた記憶データに基づいて生成する個体識別値生成工程と、
前記個体識別値生成工程で生成した前記個体識別値を個体識別値記憶手段に記憶する個体識別値記憶工程と、
前記周辺部に送信した前記制御コマンドの履歴を示す履歴データを予め定められた履歴生成方式で生成する履歴データ生成工程と、
前記履歴データ生成工程の履歴生成方式を切り替えるか否かを無作為に決定する決定工程と、前記決定工程が切り替えないと決定した場合、前記主制御部の認証に用いる認証情報を、前記履歴データ生成工程で生成した履歴データを認証データとして有するように生成する第１認証情報生成工程と、
前記決定工程で切り替えると決定した場合、前記個体識別値記憶手段が記憶している個体識別値を前記認証データとして有するように前記認証情報を生成する第２認証情報生成工程と、
前記決定工程で切り替えると決定した場合、前記履歴データ生成工程の履歴生成方式を、予め定められた複数の履歴生成方式の中から予め定められた切替方式で切り替える切替工程と、
前記第１認証情報生成工程又は前記第２認証情報生成工程で生成した認証情報を前記後段部に前記周辺部を介して送信する主制御側送信工程と、を含み、
前記後段部が処理する工程は、
前記主制御部の前記個体識別値と一致する期待値が期待値記憶手段に予め記憶される期待値記憶工程と、
前記主制御部から受信した前記制御コマンドの履歴を示す後段側履歴データを前記主制御部と同一の前記履歴生成方式で生成する後段側履歴データ生成工程と、
前記周辺部を介して前記主制御部から前記認証情報を受信する後段側受信工程と、
前記受信した認証情報の認証データが、前記期待値記憶手段に記憶している期待値又は前記周辺側履歴データと一致しているか否かの判定結果に基づいて、前記主制御部の認証結果を示す後段認証結果データを生成する後段認証結果データ生成工程と、
前記生成した後段認証結果データを前記周辺部に送信する後段側送信工程と、
前記認証データが前記期待値と一致した場合、前記後段側履歴データ生成工程の履歴生成方式を、前記主制御部の切替工程と同様に切り替える後段側切替工程と、を含み、
前記周辺部が処理する工程は、
前記主制御部から受信した前記認証情報と前記制御コマンドを前記後段部に転送する転送工程と、
前記後段部から前記後段認証結果データを受信する周辺側受信工程と、
前記受信した後段認証結果データに応じて前記制御コマンドに基づいた前記所定の処理を行う処理工程と、を含むことを特徴とする遊技機の認証方法。
【発明の詳細な説明】
【技術分野】
【０００１】
本発明は、複数の基板を備え、これらの基板間の通信の認証を行う遊技機及び遊技機の認証方法に関する。
【背景技術】
【０００２】
従来、複数の基板を備えた遊技機において、これら各基板に対する不正を防止するための様々な技術が提案されている。複数の基板を備えた遊技機とは、たとえば、ぱちんこ遊技機などがある。ぱちんこ遊技機には、遊技機全体の動作を司る主制御基板と、遊技機の各部の動作をおこなう被制御基板（周辺基板）とを備えている。この主制御基板は、周辺基板に制御コマンドを含む制御信号を出力し、その他の周辺基板は、主制御基板から送信された制御信号にしたがって動作を実行する機能を備えている。
【０００３】
このような構成の遊技機の場合、主制御基板に対する不正としては、たとえば、正規の主制御基板を不正な制御基板に取り替えたり、主制御基板がおこなう処理を規定したプログラムコードを改ざんしたりといった手法がある。このような不正を防止するため、たとえば、主制御基板内に搭載されたＲＯＭに記録されているプログラムデータをＲＯＭチェッカによってチェックして、ＲＯＭの不正交換などを防止する技術が提案されている（たとえば、下記特許文献１参照。）。
【０００４】
また、特許文献２には、主制御基板からサブ制御基板に制御コマンドを送信し、さらに所定の通信経路における制御コマンドの通信状態を監視するための状態監視コマンドを送信し、サブ制御基板が状態監視コマンドを用いて制御コマンドの正当性を検証し、誤りがあると判定した場合には制御対象の制御を停止する構成が記載されている。
【先行技術文献】
【特許文献】
【０００５】
【特許文献１】特開平１１−３３３１０８号公報
【特許文献２】特開２００２−１８０９５号公報
【発明の概要】
【発明が解決しようとする課題】
【０００６】
しかしながら、上述した特許文献１の場合、プログラムデータの改ざんは検知できるが、正規の主制御用基板と被制御基板との間に不正な制御基板が接続されてしまうと、この不正な制御基板から出力される不正な制御信号による不正制御を防止することができないという問題があった。
【０００７】
また、上述した特許文献２のように、制御コマンドとは別の状態監視コマンドを主制御基板から被制御基板に送信する場合、遊技機は不正行為（「ゴト」行為）が行われる可能性があり、主制御側と被制御側との間に介在した前記不正な制御基板等によって状態監視コマンドが不正に解析されやすいため、その解析を困難にできないと、特許文献２の構成等を遊技機で実現させるのが困難であった。さらに、送信する際に複雑な暗号化をしてしまうと、正規な主制御基板及び被制御基板の各々の処理が複雑化して処理負担が増加してしまうという問題が生じてしまう。
【０００８】
さらに、最近では、遊技の興趣向上を図るために、リーチや大当たり等の際に遊技者の視覚や聴覚に訴える演出が多様となる傾向にある。そのため、周辺部（周辺基板）側のＣＰＵに既存の処理の他に認証処理を実行させようとすると、ＣＰＵの処理負荷が増大して処理速度が低下してしまい、演出のための表示がスムーズに行われなかったり、最悪の場合には、認証処理自体を追加できなかったりするなどの問題があった。
【０００９】
この発明は、上述した従来技術による問題点を解消するため、制御コマンドの通信継続性が確認できて、認証に用いる認証情報の解析を困難にすることができ且つ周辺部のＣＰＵの処理負荷を軽減することができる遊技機及び遊技機の認証方法を提供することを目的とする。
【課題を解決するための手段】
【００１０】
本発明にかかる請求項１記載の遊技機は、制御コマンドを送信する主制御部と、前記主制御部によって送信された制御コマンドに基づいて所定の処理を行う周辺部と、前記主制御部の認証を行う後段部と、を備える遊技機において、前記主制御部は、前記主制御部を識別するための個体識別値を、前記主制御部の予め定められた記憶データに基づいて生成する個体識別値生成手段と、前記個体識別値生成手段が生成した前記個体識別値を記憶する個体識別値記憶手段と、前記周辺部に送信した前記制御コマンドの履歴を示す履歴データを、予め定められた履歴生成方式で生成する履歴データ生成手段と、前記個体識別値記憶手段が記憶している個体識別値と前記履歴データ生成手段が生成した履歴データとの何れか一方を無作為に選択する選択手段と、前記主制御部の認証に用いる認証情報を、前記選択手段が選択した個体識別値又は履歴データの何れか一方を認証データとして有するように生成する認証情報生成手段と、前記選択手段が前記個体識別値を選択した場合、前記履歴データ生成手段の履歴生成方式を、予め定められた複数の履歴生成方式の中から予め定められた切替方式で切り替える切替手段と、前記生成した認証情報と前記制御コマンドを前記後段部に前記周辺部を介して送信する主制御側送信手段と、を備え、前記後段部は、前記主制御部の前記個体識別値と一致する期待値を記憶する期待値記憶手段と、前記周辺部を介して前記主制御部から前記認証情報と前記制御コマンドを受信する後段側受信手段と、前記主制御部から受信した前記制御コマンドの履歴を示す後段側履歴データを前記主制御部と同一の前記履歴生成方式で生成する後段側履歴データ生成手段と、前記受信した認証情報の認証データが前記期待値又は前記後段側履歴データと一致しているか否かの判定結果に基づいて、前記主制御部の認証結果を示す後段認証結果データを生成する後段認証結果データ生成手段と、前記生成した後段認証結果データを前記周辺部に送信する後段側送信手段と、前記認証データが前記期待値と一致した場合、前記後段側履歴データ生成手段の履歴生成方式を、前記主制御部の切替手段と同様に切り替える後段側切替手段と、を備え、前記周辺部は、前記主制御部から受信した前記認証情報と前記制御コマンドを前記後段部に転送する転送手段と、前記後段部から前記後段認証結果データを受信する周辺側受信手段と、前記受信した後段認証結果データに応じて前記制御コマンドに基づいた前記所定の処理を行う処理手段と、を備えることを特徴とする。
【００１１】
上記請求項１に記載した本発明の遊技機によれば、主制御部は、遊技機の起動時、予め定められた事象の発生時、等に個体識別値を、前記主制御部の予め定められた記憶データに基づいて生成して個体識別値記憶手段に記憶する。そして、主制御部は、遊技機の動作に応じて制御コマンドを周辺部に送信すると、その履歴を示す履歴データを履歴生成方式で生成する。主制御部は、個体識別値と履歴データとの何れか一方を無作為に選択する。主制御部は、履歴データを選択した場合、該履歴データを認証データとして有する認証情報を生成して後段部に周辺部を介して送信する。また、主制御部は、個体識別値を選択した場合、該個体識別値を認証データとして有する認証情報を生成して後段部に周辺部を介して送信し、そして、履歴データ生成手段の履歴生成方式を、予め定められた複数の履歴生成方式の中から予め定められた切替方式で切り替えることができる。一方、周辺部は、主制御部から受信した認証情報と制御コマンドを後段部に転送する。一方、後段部の期待値記憶手段には、主制御部の個体識別値と一致する期待値が記憶される。そして、後段部は、主制御部からの制御コマンドを受信すると、該受信した制御コマンドの履歴を示す後段側履歴データを、主制御部と同一の履歴生成方式で生成する。そして、後段部は、主制御部から受信した認証情報の認証データと期待値又は後段側履歴データと一致しているか否かに基づいて判定した主制御部の認証結果を示す後段認証結果データを生成して周辺部に送信する。そして、後段部は、その認証データが期待値と一致していた場合、後段側履歴データ生成手段の履歴生成方式を、主制御部と同一の切替方式で同様に切り替えることができる。一方、周辺部は、後段部から受信した後段認証結果データに応じて、主制御部から受信した制御コマンドに基づいた遊技機における所定の処理を行うことができる。
【００１２】
請求項２記載の発明は、請求項１に記載の遊技機において、前記主制御部は、前記個体識別値を有する前記認証情報の出現回数を計数する計数手段を備え、前記後段部は、前記個体識別値を有する前記認証情報の受信回数を計数する後段側計数手段を備え、前記切替手段は、前記計数手段が計数した出現回数が予め定められた切替条件を満たすときに前記履歴生成方式を切り替え、前記後段側切替手段は、前記後段側計数手段が計数した受信回数が前記切替条件を満たすときに、前記後段側履歴データ生成手段の履歴生成方式を切り替えるようにしたことを特徴とする。
【００１３】
上記請求項２に記載した本発明の遊技機によれば、主制御部は、個体識別値を有する認証情報の生成に応じて、その出現回数を計数し、出現回数が切替条件を満たしたときに、履歴生成方式を前記切替方式で切り替えることができる。一方、後段部は、個体識別値を有する認証情報の受信に応じて、その受信回数を計数し、受信回数が主制御部と同一の切替条件を満たしたときに、履歴生成方式を前記切替方式で主制御部と同様に切り替えることができる。
【００１４】
請求項３記載の発明は、前記個体識別値記憶手段は、複数の個体識別値の各々に複数の履歴生成方式を切り替えるための切替情報を対応付けて当該複数の個体識別値を記憶し、前記期待値記憶手段は、前記複数の個体識別値との対応関係が一致するように、複数の期待値の各々に前記切替情報を対応付けて当該複数の期待値を記憶し、前記選択手段は、前記個体識別値記憶手段が記憶している複数の個体識別値と前記履歴データ生成手段が生成した履歴データとの中から１つを無作為に選択し、前記切替手段は、前記生成した認証情報が有する個体識別値に対応付けられた前記切替情報に基づいて履歴データ生成手段の履歴生成方式を切り替え、前記後段側切替手段は、前記認証データと一致した前記期待値に対応付けられた前記切替情報に基づいて、前記後段側履歴データ生成手段の履歴生成方式を切り替えるようにしたことを特徴とする。
【００１５】
上記請求項３に記載した本発明の遊技機によれば、主制御部の個体識別値記憶手段は、相異なる複数の個体識別値を記憶し、該複数の個体識別値の各々には複数の履歴生成方式を切り替えるための切替情報が対応付けられている。そして、主制御部は、個体識別値を有する認証情報の発生に応じて、その個体識別値に対応付けられた切替情報に基づいて、履歴生成方式を切り替えることができる。一方、後段部の期待値記憶手段は、複数の個体識別値との対応関係が一致するように、複数の期待値の各々に主制御部と同一の切替情報が対応付けられた複数の期待値を記憶している。そして、後段部は、認証データと一致した期待値に対応付けられた切替情報に基づいて、履歴生成方式を主制御部と同様に切り替えることができる。
【００１６】
本発明にかかる請求項４記載の遊技機は、制御コマンドを送信する主制御部と、前記主制御部によって送信された制御コマンドに基づいて所定の処理を行う周辺部と、前記主制御部の認証を行う後段部と、を備える遊技機において、前記主制御部は、前記主制御部を識別するための個体識別値を、前記主制御部の予め定められた記憶データに基づいて生成する個体識別値生成手段と、前記個体識別値生成手段が生成した前記個体識別値を記憶する個体識別値記憶手段と、前記周辺部に送信した前記制御コマンドの履歴を示す履歴データを、予め定められた履歴生成方式で生成する履歴データ生成手段と、前記履歴データ生成手段の履歴生成方式を切り替えるか否かを無作為に決定する決定手段と、前記決定手段が切り替えないと決定した場合、前記主制御部の認証に用いる認証情報を、前記履歴データ生成手段が生成した履歴データを認証データとして有するように生成する第１認証情報生成手段と、前記決定手段が切り替えると決定した場合、前記個体識別値記憶手段が記憶している個体識別値を前記認証データとして有するように前記認証情報を生成する第２認証情報生成手段と、前記決定手段が切り替えると決定した場合、前記履歴データ生成手段の履歴生成方式を、予め定められた複数の履歴生成方式の中から予め定められた切替方式で切り替える切替手段と、前記第１認証情報生成手段及び前記第２認証情報生成手段が生成した認証情報と前記制御コマンドを前記後段部に前記周辺部を介して送信する主制御側送信手段と、を備え、前記後段部は、前記主制御部の前記個体識別値と一致する期待値を記憶する期待値記憶手段と、前記周辺部を介して前記主制御部から前記認証情報と前記制御コマンドを受信する後段側受信手段と、前記主制御部から受信した前記制御コマンドの履歴を示す後段側履歴データを前記主制御部と同一の前記履歴生成方式で生成する後段側履歴データ生成手段と、前記受信した認証情報の認証データが前記期待値又は前記後段側履歴データと一致しているか否かの判定結果に基づいて、前記主制御部の認証結果を示す後段認証結果データを生成する後段認証結果データ生成手段と、前記生成した後段認証結果データを前記周辺部に送信する後段側送信手段と、前記認証データが前記期待値と一致した場合、前記後段側履歴データ生成手段の履歴生成方式を、前記主制御部の切替手段と同様に切り替える後段側切替手段と、を備え、前記周辺部は、前記主制御部から受信した前記認証情報と前記制御コマンドを前記後段部に転送する転送手段と、前記後段部から前記後段認証結果データを受信する周辺側受信手段と、前記受信した後段認証結果データに応じて前記制御コマンドに基づいた前記所定の処理を行う処理手段と、を備えることを特徴とする。
【００１７】
上記請求項４に記載した本発明の遊技機によれば、主制御部は、遊技機の起動時、予め定められた事象の発生時、等に個体識別値を前記主制御部の予め定められた記憶データに基づいて生成して個体識別値記憶手段に記憶する。そして、主制御部は、遊技機の動作に応じて制御コマンドを周辺部に送信すると、その履歴を示す履歴データを履歴生成方式で生成する。主制御部は、その履歴データを認証データとして有する認証情報を生成して後段部に周辺部を介して送信する。また、主制御部は、履歴生成方式を切り替えることを無作為に決定すると、個体識別値記憶手段が記憶している個体識別値を認証データとして有する認証情報を生成して後段部に周辺部を介して送信し、そして、履歴データ生成手段の履歴生成方式を、予め定められた複数の履歴生成方式の中から予め定められた切替方式で切り替えることができる。一方、周辺部は、主制御部から受信した認証情報と制御コマンドを後段部に転送する。一方、後段部の期待値記憶手段には、主制御部の個体識別値と一致する期待値が記憶される。そして、後段部は、主制御部からの制御コマンドを受信すると、該受信した制御コマンドの履歴を示す後段側履歴データを、主制御部と同一の履歴生成方式で生成する。そして、後段部は、主制御部から受信した認証情報の認証データと期待値又は後段側履歴データと一致しているか否かに基づいて判定した主制御部の認証結果を示す後段認証結果データを生成して周辺部に送信する。そして、後段部は、その認証データが期待値と一致していた場合、後段側履歴データ生成手段の履歴生成方式を、主制御部と同一の切替方式で同様に切り替えることができる。一方、周辺部は、後段部から受信した後段認証結果データに応じて、主制御部から受信した制御コマンドに基づいた遊技機における所定の処理を行うことができる。
【００１８】
請求項５記載の発明は、請求項１〜４の何れか１項に記載の遊技機において、前記履歴データが、前記後段部に送信した前記制御コマンドの複数回分の履歴を示すデータであり、前記後段側履歴データが、前記主制御部から受信した前記制御コマンドの複数回分の履歴を示すデータであることを特徴とする。
【００１９】
上記請求項５に記載した本発明の遊技機によれば、主制御部は、制御コマンドを周辺部に送信すると、例えば、予め定められた回数分、奇数回、偶数回、等の制御コマンドに基づいた履歴データを生成し、履歴データ記憶手段の履歴データを更新する。一方、後段部は、主制御部の履歴データに対応した後段側履歴データを、周辺部から転送されて受信した複数の制御コマンドに基づいて生成して更新する。
【００２０】
本発明にかかる請求項６記載の遊技機の認証方法は、制御コマンドを送信する主制御部と、前記主制御部によって送信された制御コマンドに基づいて所定の処理を行う周辺部と、前記主制御部の認証を行う後段部と、を備える請求項１に記載の遊技機の認証方法において、前記主制御部が処理する工程は、前記主制御部を識別するための個体識別値を、前記主制御部の予め定められた記憶データに基づいて生成する個体識別値生成工程と、前記個体識別値生成工程で生成した前記個体識別値を個体識別値記憶手段に記憶する個体識別値記憶工程と、前記周辺部に送信した前記制御コマンドの履歴を示す履歴データを予め定められた履歴生成方式で生成する履歴データ生成工程と、前記個体識別値記憶手段が記憶している個体識別値と前記履歴データ生成工程で生成した履歴データとの何れか一方を無作為に選択する選択工程と、前記主制御部の認証に用いる認証情報を、前記選択工程で選択した個体識別値又は履歴データの何れか一方を認証データとして有するように生成する認証情報生成工程と、前記選択工程で前記個体識別値を選択した場合、前記履歴データ生成工程の履歴生成方式を、予め定められた複数の履歴生成方式の中から予め定められた切替方式で切り替える切替工程と、前記生成した認証情報を前記後段部に前記周辺部を介して送信する主制御側送信工程と、を含み、前記後段部が処理する工程は、前記主制御部の前記個体識別値と一致する期待値が期待値記憶手段に予め記憶される期待値記憶工程と、前記主制御部から受信した前記制御コマンドの履歴を示す後段側履歴データを前記主制御部と同一の前記履歴生成方式で生成する後段側履歴データ生成工程と、前記周辺部を介して前記主制御部から前記認証情報を受信する後段側受信工程と、前記受信した認証情報の認証データが、前記期待値記憶手段に記憶している期待値又は前記周辺側履歴データと一致しているか否かの判定結果に基づいて、前記主制御部の認証結果を示す後段認証結果データを生成する後段認証結果データ生成工程と、前記生成した後段認証結果データを前記周辺部に送信する後段側送信工程と、前記認証データが前記期待値と一致した場合、前記後段側履歴データ生成工程の履歴生成方式を、前記主制御部の切替工程と同様に切り替える後段側切替工程と、を含み、前記周辺部が処理する工程は、前記主制御部から受信した前記認証情報と前記制御コマンドを前記後段部に転送する転送工程と、前記後段部から前記後段認証結果データを受信する周辺側受信工程と、前記受信した後段認証結果データに応じて前記制御コマンドに基づいた前記所定の処理を行う処理工程と、を含むことを特徴とする。
【００２１】
上記請求項６に記載した本発明の遊技機の認証方法によれば、主制御部は、遊技機の起動時、予め定められた事象の発生時、等に個体識別値を前記主制御部の予め定められた記憶データに基づいて生成して個体識別値記憶手段に記憶する。そして、主制御部は、遊技機の動作に応じて制御コマンドを周辺部に送信すると、その履歴を示す履歴データを履歴生成方式で生成する。主制御部は、個体識別値と履歴データとの何れか一方を無作為に選択する。主制御部は、履歴データを選択した場合、該履歴データを認証データとして有する認証情報を生成して後段部に周辺部を介して送信する。また、主制御部は、個体識別値を選択した場合、該個体識別値を認証データとして有する認証情報を生成して後段部に周辺部を介して送信し、そして、履歴データ生成手段の履歴生成方式を、予め定められた複数の履歴生成方式の中から予め定められた切替方式で切り替えることができる。一方、周辺部は、主制御部から受信した認証情報と制御コマンドを後段部に転送する。一方、後段部は、主制御部の個体識別値と一致する期待値が、製造時等に期待値記憶手段に予め記憶される。そして、後段部は、主制御部からの制御コマンドを受信すると、該受信した制御コマンドの履歴を示す後段側履歴データを、主制御部と同一の履歴生成方式で生成する。そして、後段部は、主制御部から受信した認証情報の認証データと期待値又は後段側履歴データと一致しているか否かに基づいて判定した主制御部の認証結果を示す後段認証結果データを生成して周辺部に送信する。そして、後段部は、その認証データが期待値と一致していた場合、後段側履歴データ生成手段の履歴生成方式を、主制御部と同一の切替方式で同様に切り替えることができる。一方、周辺部は、後段部から受信した後段認証結果データに応じて、主制御部から受信した制御コマンドに基づいた遊技機における所定の処理を行うことができる。
【００２２】
本発明にかかる請求項７記載の遊技機の認証方法は、制御コマンドを送信する主制御部と、前記主制御部によって送信された制御コマンドに基づいて所定の処理を行う周辺部と、前記主制御部の認証を行う後段部と、を備える請求項４記載の遊技機の認証方法において、前記主制御部が処理する工程は、前記主制御部を識別するための個体識別値を、前記主制御部の予め定められた記憶データに基づいて生成する個体識別値生成工程と、前記個体識別値生成工程で生成した前記個体識別値を個体識別値記憶手段に記憶する個体識別値記憶工程と、前記周辺部に送信した前記制御コマンドの履歴を示す履歴データを予め定められた履歴生成方式で生成する履歴データ生成工程と、前記履歴データ生成工程の履歴生成方式を切り替えるか否かを無作為に決定する決定工程と、前記決定工程が切り替えないと決定した場合、前記主制御部の認証に用いる認証情報を、前記履歴データ生成工程で生成した履歴データを認証データとして有するように生成する第１認証情報生成工程と、前記決定工程で切り替えると決定した場合、前記個体識別値記憶手段が記憶している個体識別値を前記認証データとして有するように前記認証情報を生成する第２認証情報生成工程と、前記決定工程で切り替えると決定した場合、前記履歴データ生成工程の履歴生成方式を、予め定められた複数の履歴生成方式の中から予め定められた切替方式で切り替える切替工程と、前記第１認証情報生成工程又は前記第２認証情報生成工程で生成した認証情報を前記後段部に前記周辺部を介して送信する主制御側送信工程と、を含み、前記後段部が処理する工程は、前記主制御部の前記個体識別値と一致する期待値が期待値記憶手段に予め記憶される期待値記憶工程と、前記主制御部から受信した前記制御コマンドの履歴を示す後段側履歴データを前記主制御部と同一の前記履歴生成方式で生成する後段側履歴データ生成工程と、前記周辺部を介して前記主制御部から前記認証情報を受信する後段側受信工程と、前記受信した認証情報の認証データが、前記期待値記憶手段に記憶している期待値又は前記周辺側履歴データと一致しているか否かの判定結果に基づいて、前記主制御部の認証結果を示す後段認証結果データを生成する後段認証結果データ生成工程と、前記生成した後段認証結果データを前記周辺部に送信する後段側送信工程と、前記認証データが前記期待値と一致した場合、前記後段側履歴データ生成工程の履歴生成方式を、前記主制御部の切替工程と同様に切り替える後段側切替工程と、を含み、前記周辺部が処理する工程は、前記主制御部から受信した前記認証情報と前記制御コマンドを前記後段部に転送する転送工程と、前記後段部から前記後段認証結果データを受信する周辺側受信工程と、前記受信した後段認証結果データに応じて前記制御コマンドに基づいた前記所定の処理を行う処理工程と、を含むことを特徴とする。
【００２３】
上記請求項７に記載した本発明の遊技機の認証方法によれば、主制御部は、遊技機の起動時、予め定められた事象の発生時、等に個体識別値を前記主制御部の予め定められた記憶データに基づいて生成して個体識別値記憶手段に記憶する。そして、主制御部は、遊技機の動作に応じて制御コマンドを周辺部に送信すると、その履歴を示す履歴データを履歴生成方式で生成する。主制御部は、その履歴データを認証データとして有する認証情報を生成して後段部に周辺部を介して送信する。また、主制御部は、履歴生成方式を切り替えることを無作為に決定すると、個体識別値記憶手段が記憶している個体識別値を認証データとして有する認証情報を生成して後段部に周辺部を介して送信し、そして、履歴データ生成手段の履歴生成方式を、予め定められた複数の履歴生成方式の中から予め定められた切替方式で切り替えることができる。一方、周辺部は、主制御部から受信した認証情報と制御コマンドを後段部に転送する。一方、後段部は、主制御部の個体識別値と一致する期待値が、製造時等に期待値記憶手段に予め記憶される。そして、後段部は、主制御部からの制御コマンドを受信すると、該受信した制御コマンドの履歴を示す後段側履歴データを、主制御部と同一の履歴生成方式で生成する。そして、後段部は、主制御部から受信した認証情報の認証データと期待値又は後段側履歴データと一致しているか否かに基づいて判定した主制御部の認証結果を示す後段認証結果データを生成して周辺部に送信する。そして、後段部は、その認証データが期待値と一致していた場合、後段側履歴データ生成手段の履歴生成方式を、主制御部と同一の切替方式で同様に切り替えることができる。一方、周辺部は、後段部から受信した後段認証結果データに応じて、主制御部から受信した制御コマンドに基づいた遊技機における所定の処理を行うことができる。
【発明の効果】
【００２４】
以上説明したように本発明によれば、主制御部は、個体識別値を生成するようにしたことから、主制御部に個体識別値を予め記憶しておく必要がなくなるため、遊技機における主制御部の認証のために予め記憶しておくデータ量の増加を抑制することができる。また、主制御部のデータが不正に解析されても、前記生成する個体識別値は予め記憶していないため、主制御部の認証に対する不正解析の防止に貢献することができる。そして、主制御部が制御コマンドの履歴を示す履歴データ又は個体識別値の何れか一方を有する認証情報を後段部に送信し、個体識別値を有する認証情報の送信に応じて履歴データを生成する履歴生成方式を切り替えるようにしたことから、履歴生成方式を切り替えて履歴データを生成することができるため、履歴データの生成方式の解析を困難にすることができ、且つ、認証情報が履歴データを有しているのか個体識別値を有しているのかの推測を困難にすることができる。また、後段部は、個体識別値を有する認証情報の受信に応じて後段側履歴データの履歴生成方式を主制御部と同様に切り替えればよいため、主制御部と同期しやすく、認証情報に不正が生じると履歴生成方式が一致しなくなり、不正の防止に貢献することができる。そして、後段部は、履歴データに基づいて制御コマンドの通信継続性を確認して認証するようにしたことから、不正な制御コマンドによる不正な通信切り替えを検出することができるため、不正な制御コマンドを周辺部に送信されるのを防止でき、不正な通信切り替え防止に貢献することができる。そして、履歴生成方式を切り替えるようにしたことから、生成する履歴データの継続性がなくなり、制御コマンドと履歴生成方式に着目して不正に解析しても、制御コマンドの出現順序と履歴データの出現順序との関連性（対応関係など）を推測することが困難となるため、不正な解析者が認証情報を不正に利用することを防止できる。また、後段部が主制御部に対する認証処理を行い、その後段認証結果を周辺部に送信するようにしたことから、周辺部は認証処理を行わずに後段認証結果を参照するだけで良いため、周辺部のＣＰＵの処理負荷を軽減することができる。さらに、主制御部が遊技機の起動時から認証情報の生成時までの間に個体識別値を生成して予め記憶しておくことで、認証情報の生成時に複雑な演算を行う必要がなくなり、主制御部の処理負担の増加を防止できる。また、後段部が主制御部からの制御コマンドの履歴を管理するようにしたことから、周辺部では制御コマンドの履歴管理が不要となるため、セキュリティの向上による周辺部の処理負担の増加を防止することができる。しかも、周辺部は、主制御部から受信した制御コマンドを後段部に転送して所定の処理を行うことができることから、周辺部と後段部が同時に処理を行うことができるため、周辺部における所定の処理に遅れが生じることを防止できる。従って、制御コマンドの通信継続性が確認できて、認証に用いる認証情報の解析を困難にすることができ且つ周辺部のＣＰＵの処理負荷を軽減することができる。
【００２５】
上述した遊技機において、主制御部及び後段部は、個体識別値の出現及び受信の回数を計数し、該回数が切替条件を満たしたときに履歴生成方式を切替方式で切り替えるようにしたことから、生成した履歴データの継続性と履歴生成方式の切替タイミングをより一層複雑化することができるため、不正な解析をより一層困難にすることができる。
【００２６】
上述した遊技機において、主制御部の複数の個体識別値と後段部の複数の期待値とに切替情報を対応付けておき、その切替情報に基づいて履歴生成方式を切り替えるようにしたことから、生成した履歴データの継続性と履歴生成方式の切替タイミングをより一層複雑化することができるため、不正な解析をより一層困難にすることができる。また、認証情報が履歴データと個体識別値との何れを有しているかの推測も困難になるため、認証情報の不正利用を防止することができる。
【００２７】
上述した遊技機において、履歴データ及び後段側履歴データが複数回分の制御コマンドの履歴を示すようにしたことから、認証情報の送信回数を減らしても、その間に生じた制御コマンドの不正を検出することができるため、認証精度の向上を図ることができる。また、履歴データも複雑化するため、不正な解析をより一層困難にすることができる。
【図面の簡単な説明】
【００２８】
【図１】本発明のぱちんこ遊技機の遊技盤の一例を示す正面図である。
【図２】ぱちんこ遊技機の制御部の内部構成を示すブロック図である。
【図３】主制御基板および周辺基板の機能的構成を示すブロック図である。
【図４】主制御部による演出制御部の制御処理の一部を示すフローチャートである。
【図５】主制御部による演出制御部の制御処理の他の一部を示すフローチャートである。
【図６】大当たり関連コマンドの送信タイミングを示すタイミングチャートである。
【図７】演出制御部による図柄変動処理の手順を示すフローチャートである。
【図８】演出制御部による大当たり時処理の手順を示すフローチャートである。
【図９】ランプ制御部による図柄変動時のランプ制御処理の手順を示すフローチャートである。
【図１０】主制御部が出力する制御信号のデータフォーマットを模式的に示す説明図である。
【図１１】認証情報及び後段認証結果のデータフォーマットを示す説明図である。
【図１２】認証情報の設定例を示す説明図である。
【図１３】履歴生成方式の切り替え例を示す説明図である。
【図１４】主制御部による被認証側処理の一例を示すフローチャートである。
【図１５】後段部による認証側処理の一例を示すフローチャートである。
【図１６】周辺部による制御信号及び後段認証結果信号の受信手順を示すフローチャートである。
【図１７】認証情報を用いた場合の認証処理手順例を示すフローチャートである。
【図１８】主制御部による被認証側処理の他の例を示すフローチャートである。
【図１９】後段部による認証側処理の他の例を示すフローチャートである。
【図２０】個体識別値及び期待値と切替情報との関係を示す説明図である。
【図２１】主制御基板および周辺基板の機能的構成２を示すブロック図である。
【図２２】主制御部による被認証側処理の例２を示すフローチャートである。
【図２３】認証情報を用いた場合の認証処理手順の他の例を示すフローチャートである。
【発明を実施するための形態】
【００２９】
以下に添付図面を参照して、本発明にかかる遊技機であるぱちんこ遊技機と、このぱちんこ遊技機に搭載されている複数の基板間（主制御基板および周辺基板）の制御信号に含まれる制御コマンドを認証する認証方法および認証プログラムに好適な実施の形態を詳細に説明する。
【００３０】
［実施例１］
（ぱちんこ遊技機の基本構成）
本発明のぱちんこ遊技機１００は、図１に示す遊技盤１０１を備えている。遊技盤１０１の下部位置に配置された発射部２９２（図２参照）の駆動によって発射された遊技球は、レール１０２ａ，１０２ｂ間を上昇して遊技盤１０１の上部位置に達した後、遊技領域１０３内を落下する。図示を省略するが、遊技領域１０３には、遊技球を各種の方向に向けて落下させる複数の釘が設けられている。遊技領域１０３には、遊技球の落下途中の位置に、遊技球の落下方向を変化させる風車や入賞口が配設されている。
【００３１】
遊技盤１０１の遊技領域１０３の中央部分には、図柄表示部１０４が配置されている。図柄表示部１０４としては、例えば液晶表示器（ＬＣＤ）が用いられる。なお、図柄表示部１０４としては、ＬＣＤに限らず、ＣＲＴ、複数のドラム、などを用いることができる。図柄表示部１０４の下方には、始動入賞させるための始動入賞口１０５が配設されている。図柄表示部１０４の左右には、それぞれ入賞ゲート１０６が配設されている。
【００３２】
入賞ゲート１０６は、落下する遊技球の通過を検出し、始動入賞口１０５を一定時間だけ開放させる抽選を行うために設けられている。図柄表示部１０４の側部や下方などには普通入賞口１０７が配設されている。普通入賞口１０７に遊技球が入賞すると、ぱちんこ遊技機１００は普通入賞時の賞球数（例えば１０個）の払い出しを行う。遊技領域１０３の最下部には、どの入賞口にも入賞しなかった遊技球を回収する回収口１０８が設けられている。
【００３３】
上述した図柄表示部１０４は、特定の入賞口に遊技球が入賞したとき（始動入賞時）に、複数の図柄の表示の変動を開始し、所定時間後に図柄の表示の変動を停止する。この停止時に特定図柄（例えば「７７７」など）に揃ったときに、ぱちんこ遊技機１００は大当たり状態となる。そして、ぱちんこ遊技機１００は、大当たり状態のとき、遊技盤１０１の下方に位置する大入賞口１０９を一定の期間開放させ、この期間開放を所定ラウンド（例えば１５ラウンドなど）繰り返し、大入賞口１０９に入賞した遊技球に対応した賞球数を払い出す。
【００３４】
ぱちんこ遊技機１００は、図２に示す制御部２００を備えている。制御部２００は、主制御部２０１と、演出制御部２０２Ａと、後段部２０２Ｂと、賞球制御部２０３と、を有している。主制御部２０１は本発明の主制御基板に相当している。演出制御部２０２Ａと後段部２０２Ｂは周辺基板に一体に設けられる。そして、主制御部２０１は、演出制御部２０２Ａと賞球制御部２０３とに対して送信可能な構成となっている。演出制御部２０２Ａと後段部２０２Ｂとの間は双方向通信が可能な構成となっている。即ち、後段部２０２Ｂは、演出制御部２０２Ａを介して主制御部２０１からのデータを受信する構成となっている。
【００３５】
主制御部２０１は、ぱちんこ遊技機１００の遊技にかかる基本動作を制御する。演出制御部２０２Ａは、主制御部２０１から受信した複数種類の認証情報等のデータを後段部２０２Ｂに転送（送信）する。後段部２０２Ｂは、演出制御部２０２Ａから転送されたデータに基づいて主制御部２０１の認証を行い、その認証結果を演出制御部２０２Ａに送信する。そして、演出制御部２０２Ａは、主制御部２０１から受信した制御コマンドに応じて、遊戯中の演出動作を制御する。賞球制御部２０３は、払い出す賞球数を制御する。
【００３６】
主制御部２０１は、ＣＰＵ２１１と、ＲＯＭ２１２と、ＲＡＭ２１３と、インタフェース（Ｉ／Ｆ）２１４と、を有している。ＣＰＵ２１１は、ＲＯＭ２１２に記憶されたプログラムデータに基づき、遊技内容の進行に伴う基本処理を実行する。ＲＯＭ２１２は、プログラムデータ等を記憶する記憶領域を有している。ＲＡＭ２１３は、ＣＰＵ２１１の演算処理時におけるデータのワークエリアとして機能する。Ｉ／Ｆ２１４は、各検出部２２１〜２２４から各種データを受信するとともに、演出制御部２０２Ａ及び賞球制御部２０３への各種データの送信を行う。主制御部２０１は、例えばいわゆる主制御基板によってその機能を実現する。
【００３７】
この主制御部２０１の入力側には、始動入賞口１０５に入賞した入賞球を検出する始動入賞口検出部２２１と、入賞ゲート１０６を通過した遊技球を検出するゲート検出部２２２と、普通入賞口１０７に入賞した遊技球を検出する普通入賞口検出部２２３と、大入賞口１０９に入賞した入賞球を検出する大入賞口検出部２２４と、がＩ／Ｆ２１４を介して電気的に接続されている。これらの検出部としては、近接スイッチなどを用いて構成できる。
【００３８】
この主制御部２０１の出力側には、大入賞口開閉部２２５が電気的に接続されており、主制御部２０１はこの大入賞口開閉部２２５の開閉を制御する。大入賞口開閉部２２５は、大当たり時に大入賞口１０９を一定期間開放する機能であり、ソレノイドなどを用いて構成できる。この大当たりは、生成した乱数（大当たり判定用乱数）に基づいて、所定の確率（例えば３００分の１など）で発生するよう予めプログラムされている。
【００３９】
演出制御部２０２Ａは、主制御部２０１から各種の制御コマンドを含む制御信号を受け取り、このコマンドに基づいて、ＲＯＭ２４２に記憶されたプログラムデータを実行して遊技中における演出制御を行う。この演出制御部２０２Ａは、ＣＰＵ２４１と、ＲＯＭ２４２と、ＲＡＭ２４３と、ＶＲＡＭ２４４と、インタフェース（Ｉ／Ｆ）２４５と、を有している。ＣＰＵ２４１は、ぱちんこ遊技機１００に対応した演出処理を実行する。ＲＡＭ２４３は、ＣＰＵ２４１の演出処理時におけるデータのワークエリアとして機能する。ＶＲＡＭ２４４は、図柄表示部１０４に表示させる画像データ等を記憶する。Ｉ／Ｆ２４５は、主制御部２０１及び後段部２０２Ｂからの各種データの受信を行い、且つ、後段部２０２Ｂ、ランプ制御部２５１、音声制御部２５２への各種データの送信を行う。そして、演出制御部２０２Ａは、後段部２０２Ｂとともに同一の周辺基板で実現している。また、演出制御部２０２Ａの出力側には、上述した図柄表示部（ＬＣＤ）１０４、ランプ制御部２５１、音声制御部２５２がＩ／Ｆ２４５を介して電気的に接続されている。ランプ制御部２５１はランプ２６１の点灯を制御する。また、音声制御部２５２はスピーカ２６２の音声等の出力を制御する。
【００４０】
後段部２０２Ｂは、ＣＰＵ２１と、ＲＯＭ２２と、ＲＡＭ２３と、インタフェース（Ｉ／Ｆ）２４と、を有している。ＣＰＵ２１は、ＲＯＭ２２に記憶されたプログラムデータに基づき、主制御部２０１の認証に伴う処理を行う。ＲＯＭ２２は、前記プログラムデータ等を記憶する記憶領域を有している。ＲＡＭ２３は、ＣＰＵ２１の演算処理時におけるデータのワークエリアとして機能する。Ｉ／Ｆ２４は、主制御部２０１から各種データを演出制御部２０２Ａ（周辺部）を介して受信するとともに、演出制御部２０２Ａへの各種データの送信を行う。
【００４１】
賞球制御部２０３は、主制御部２０１から各種の制御コマンドを含む制御信号を受け取り、このコマンドに基づいて、ＲＯＭ２８２に記憶されたプログラムデータを実行して賞球制御を行う。この賞球制御部２０３は、ＣＰＵ２８１と、ＲＯＭ２８２と、ＲＡＭ２８３と、インタフェース（Ｉ／Ｆ）２８４と、を有している。ＣＰＵ２８１は、賞球制御の処理を実行する。ＲＡＭ２８３は、ＣＰＵ２８１の演算処理時におけるデータのワークエリアとして機能する。Ｉ／Ｆ２８４は、主制御部２０１からの各種データの受信および発射部２９２との各種データの送受信を行う。賞球制御部２０３は、例えばいわゆる賞球基板によってその機能を実現する。
【００４２】
賞球制御部２０３は、Ｉ／Ｆ２８４を介して接続される払出部２９１に対して、入賞時の賞球数を払い出す制御を行う。また、賞球制御部２０３は、発射部２９２に対する遊技球の発射の操作を検出し、発射部２９２における遊技球の発射を制御する。払出部２９１は、遊技球の貯留部から所定数を払い出すためのモータなどからなる。賞球制御部２０３は、この払出部２９１に対して、各入賞口（始動入賞口１０５、普通入賞口１０７、大入賞口１０９）に入賞した遊技球に対応した賞球数を払い出す制御を行う。
【００４３】
発射部２９２は、遊技のための遊技球を発射するものであり、遊技者による遊技操作を検出するセンサと、遊技球を発射させるソレノイドなどを備える。賞球制御部２０３は、発射部２９２のセンサにより遊技操作を検出すると、検出された遊技操作に対応してソレノイドなどを駆動させて遊技球を間欠的に発射させ、遊技盤１０１の遊技領域１０３に遊技球を送り出す。
【００４４】
上記構成の主制御部２０１と演出制御部２０２Ａ及び後段部２０２Ｂと賞球制御部２０３は、それぞれ異なるプリント基板（主制御基板、演出基板、賞球基板）に設けられる。そして、演出基板と賞球基板が本発明の周辺基板に相当している。
【００４５】
なお、ぱちんこ遊技機１００の基板の構成は、これに限らず、例えば、賞球制御部２０３を、主制御部２０１又は演出制御部２０２Ａ及び後段部２０２Ｂと同一のプリント基板上に設けるなどの種々異なる構成とすることができる。また、演出制御部２０２Ａと後段部２０２Ｂは、同一のプリント基板で実現する構成に代えて、一方のプリント基板を他方のプリント基板に実装する構成、別体のプリント基板をケーブル等で電気的に接続する構成、等のように種々異なる実施形態とすることができる。
【００４６】
（主制御基板および周辺基板の機能的構成）
まず、図３を参照して、主制御部２０１としての機能を有する主制御基板３１０の機能的構成について説明する。主制御基板３１０は、周辺基板３３０を動作させるための制御コマンドを送信する機能部であり、データ記憶部３１１、個体識別値生成部３１２、履歴データ生成部３１３、選択部３１４、認証情報生成部３１５、切替部３１６、主制御側送信部３１７、を有して構成している。そして、主制御基板３１０は、周辺基板３３０とは別の基板で形成されており、周辺基板３３０の周辺部２０２Ａと通信可能なように電気的に接続されている。
【００４７】
データ記憶部３１１は、本発明の個体識別値記憶手段に相当し、周辺部２０２Ａに送信した制御コマンドデータ（制御コマンド）、認証情報、個体識別値、履歴生成方式データ（履歴生成方式）、切替情報、等の各種データを記憶している。データ記憶部３１１としては、例えば、主制御部２０１のＲＯＭ２１２、ＲＡＭ２１３（図２参照）の一部を用いることができる。また、データ記憶部３１１は、周辺部２０２Ａに送信した複数の制御コマンドと複数の認証情報を、ログデータとして時系列的に記憶する記憶領域を有している。そして、データ記憶部３１１に記憶する複数の制御コマンド及び認証情報の数は、任意に設定することができる。また、制御コマンド及び認証情報のデータ記憶部３１１に記憶するタイミングは、それが確定した時点、周辺部２０２Ａに送信した後、等のタイミングを任意に定めることができる。そして、履歴生成方式データは、履歴データ生成部３１３が用いる履歴生成方式を示しており、起動時等に初期値が設定され、その後は、切替部３１６によって切り替えられる。
【００４８】
データ記憶部３１１は、後述する個体識別値生成部３１２が生成した個体識別値と予め定められた個体識別値とのうち、少なくとも前記生成した個体識別値を記憶する。そして、個体識別値は、主制御基板３１０（主制御部）の個体識別による認証に、周辺基板３３０の後段部２０２Ｂが用いる値となっている。なお、本実施例では、データ記憶部３１１が個体識別値生成部３１２が生成した個体識別値のみを記憶する場合について説明するが、これに代えて、前記生成した個体識別値と予め定められた個体識別値との双方を記憶する実施例とすることもできる。
【００４９】
個体識別値生成部３１２は、本発明の個体識別値生成手段に相当し、主制御基板３１０を識別するための個体識別値を、主制御基板３１０の予め定められた記憶データに基づいて生成する。個体識別値生成部３１２は、前記記憶データと予め定められた１又は複数の個体識別値生成方式で個体識別値を生成するため、該主制御基板３１０が生成すべき個体識別値と一致する期待値を周辺基板３３０に記憶しておけば、周辺基板３３０の後段部２０２Ｂは個体識別値と期待値とが一致しているか否かを判定することで、主制御基板３１０の個体識別を認証することができる。
【００５０】
なお、記憶データは、主制御部２０１のＲＯＭ２１２等に予め記憶している主制御部３１０の固有データとなっている。記憶データの一例としては、主制御部３１０のＣＰＵ２１１が実行するプログラムデータ、予め定められた認証専用の固定データ、等が挙げられ、その場合はぱちんこ遊技機１００の製造時等までにデータが確定することになる。そして、記憶データはデータ記憶部３１１に記憶されていることから、データ記憶部３１１は記憶データ記憶手段として記憶データを記憶している。また、主制御基板３１０がぱちんこ遊技機１００における大当たりを制御するための大当たり関連プログラムデータ（ＲＯＭ２１２に記憶しているプログラムデータの一部）は、不正に書き換えられる可能性があるため、該大当たり関連プログラムデータを有する記憶データとすることで、個体識別値生成部３１２が生成した個体識別値と後段部２０２Ｂの期待値とが一致しなくなるため、不正な書き換えの発生を検出することができる。
【００５１】
個体識別値生成部３１２は、予め定められた生成タイミングに個体識別値の生成を行う。該生成タイミングの一例としては、ぱちんこ遊技機１００の起動時、予め定められた制御コマンドの発生時又は所定の発生回数、予め定められた時刻、主制御基板３１０を認証する毎、等が挙げられる。なお、主制御基板３１０を認証する毎とは、後述する認証情報を生成するタイミングを意味している。
【００５２】
個体識別値生成部３１２の個体識別値生成方式の一例としては、ＲＯＭ２１２における相異なる所定領域（範囲）の記憶データのチェックサム、その各々の所定領域の奇数番地又は偶数番地の合計値、ＲＯＭ２１２に対して予め定められた複数の相異なるアドレスから抽出した格納値、等が挙げられる。なお、個体識別値生成部３１２の生成タイミング及び個体識別値生成方式については、例えば、ぱちんこ遊技機１００の種類毎、スペック毎、等に異なる設定とすることができる。また、個体識別値生成部３１２の個体識別値生成方式は、個体識別値と履歴データとが一致しないように、後述する履歴データ生成部３１３の履歴生成方式とは異なる生成方式となっている。その他にも、例えば異なるビットアサイン、生成範囲、等を考慮して設計することができる。
【００５３】
また、個体識別値生成部３１２が複数の個体識別値生成方式を乱数等を用いて無作為に切り替えて生成する実施例とすれば、認証情報に複数の個体識別値を用いることができ、主制御基板３１０が不正に解析されても、複数の個体識別値は主制御基板３１０には存在しないため、個体識別値に対する不正な解析が困難となり、主制御部２０１に対する不正解析の防止に貢献することができる。この場合、周辺基板３３０の後段部２０２Ｂにその複数の個体識別値生成方式で生成される全ての個体識別値と一致する複数の期待値を予め記憶しておくことで実施することができる。そして、個体識別値生成部３１２が生成する個体識別値の数を多くするほど、主制御部２０１のＲＯＭ２１２に予め記憶しておく個体識別値を減らすことができるため、ぱちんこ遊技機１００における主制御基板３１０の認証に関したＲＯＭ２１２に記憶するデータ量の増加を抑制し且つ主制御基板３１０に対する不正解析をより一層困難にすることができる。
【００５４】
また、本実施形態では、本発明の個体識別値生成手段と個体識別値記憶手段の各々を、個体識別値生成部３１２とデータ記憶部３１１とで別個に実現する場合について説明するが、これに代えて、個体識別値生成手段と個体識別値記憶手段を一体に実現することもできる。例えば、ＣＰＵ２１１を個体識別値生成手段として機能させ、そのＣＰＵ２１１のレジスタ等を個体識別値記憶手段として機能させることで、１つのハードウェアで２つの手段を実現することができる。また、個体識別値生成手段と個体識別値記憶手段を実現するための回路を有する専用のハードウェアとすることもできる。
【００５５】
履歴データ生成部３１３は、本発明の履歴データ生成手段に相当し、主制御基板３１０から周辺基板３３０の周辺部２０２Ａに送信した制御コマンドの履歴を示す履歴データを、予め定められた履歴生成方式で生成する。履歴データ生成部３１３は、例えば、ぱちんこ遊技機１００における制御コマンドの発生（確定）から当該制御コマンドの周辺部２０２Ａへの送信までの任意のタイミング、等の予め定められた生成タイミングに、履歴生成方式とデータ記憶部３１１に記憶している制御コマンドデータとに基づいて履歴データを生成して記憶する。そして、履歴データ生成部３１３は、所定の送信回数分の制御コマンドデータを、例えば、誤り検出方式、所定の暗号化方式、排他的論理和、等の履歴生成方式に基づいて算出して履歴データを生成する。即ち、履歴生成方式は、制御コマンドに対する履歴データを生成するに当たり、例えば、送信した単独の制御コマンドの遡及数、複数種類の制御コマンドの遡及範囲、等の履歴データの生成対象とする制御コマンドを規定する。そして、履歴データ生成部３１３が履歴データをチェックサムとして生成する場合、履歴データは単独種類の制御コマンドデータの複数回分の合計値や複数の制御コマンドデータの合計をとった合計値となる。なお、履歴データは、例えば前回や所定回数前等の１回分の制御コマンドをそのまま用いることで、後述する認証情報の生成時の処理を簡単化することができる。
【００５６】
なお、本実施例の履歴データ生成部３１３は、データ記憶部３１１が記憶している履歴データを、前記生成した履歴データに更新して記憶する場合について説明する。この場合、データ記憶部３１１は履歴データ記憶手段として機能することになる。これに代えて、例えばＣＰＵ２１１のレジスタ、ＲＡＭ２１３の所定記憶領域、等に履歴データを記憶する実施形態とすることもできる。また、履歴データ生成手段とその記憶手段を専用のハードウェアで実現することもできる。そして、履歴データ生成部３１３が、万一、個体識別値と同一の履歴データを生成した場合、例えば、認証情報生成部３１５がその履歴データを有する認証情報を生成しない、または、主制御側送信部３１７がその履歴データを有する認証情報を送信せずに破棄する、等の構成とする。または、履歴データ生成部３１３が、個体識別値とは異なる値の履歴データを生成するように設計する、履歴データのビット調整で対応するなどの種々異なる実施形態とすることができる。
【００５７】
選択部３１４は、本発明の選択手段に相当し、データ記憶部（個体識別値記憶手段）３１１が記憶している個体識別値と履歴データ生成部（履歴データ生成手段）３１３が生成した履歴データとの何れか一方を無作為に選択する。選択部３１４は、乱数等を用いて個体識別値と履歴データとの選択頻度が無作為になるようにしている。そして、選択部３１４は、選択頻度を乱数等の設定で頻度を調整することができる。例えば、１０回の選択のうち１回だけが個体識別値となるように乱数等を設定して、履歴データの選択頻度を高くすることで、制御コマンドの通信の継続性を重点的に監視することができるため、不正な通信切り替えの検出を期待できる。また、本発明では、個体識別値の発生に応じて履歴生成方式を切り替えることから、その個体識別値の選択頻度を高く設定することで、履歴生成方式を切り替える頻度を高めることができるため、不正な解析者が切り替えタイミングを解析することの困難性を高めることができる。
【００５８】
認証情報生成部３１５は、本発明の認証情報生成手段に相当し、後段部２０２Ｂが主制御部２０１の認証に用いる認証情報を、選択部（選択手段）３１４が選択した個体識別値又は履歴データの何れか一方を認証データとして有するように生成する。即ち、認証情報生成部３１５は、選択部３１４によって履歴データが選択された場合、認証情報の認証データに履歴データを設定した認証情報を生成する。また、認証情報生成部３１５は、選択部３１４によって個体識別値が選択された場合、認証情報の認証データに個体識別値を設定した認証情報を生成する。よって、認証情報は認証データを有し、該認定データには履歴データと個体識別値との何れか一方が設定されている。
【００５９】
切替部３１６は、本発明の切替手段に相当し、選択部（選択手段）３１４が個体識別値を選択した場合、履歴データ生成部（履歴データ生成手段）３１３の履歴生成方式を、予め定められた複数の履歴生成方式の中から予め定められた切替方式で切り替え、データ記憶部３１１の履歴生成方式データに設定する。切替部３１６は、例えば、２種類の履歴生成方式を交互に切り替える、複数の履歴生成方式を順番に切り替える、等の実施形態とすることができる。
【００６０】
主制御側送信部３１７は、本発明の主制御側送信手段に相当し、認証情報生成部３１５が生成した認証情報と、周辺部２０２Ａを制御する制御コマンドデータとを、周辺基板３３０の周辺部２０２Ａに送信することで、周辺部２０２Ａを介して後段部２０２Ｂに送信する。本実施形態の主制御側送信部３１７は、前記制御コマンドデータを制御信号として周辺基板３３０の周辺部２０２Ａに送信する。また、主制御側送信部３１７は、前記認証情報を、前記制御信号とは別の信号である認証情報信号として後段部２０２Ｂに周辺部２０２Ａを介して送信する。これにより、ぱちんこ遊技機１００において、制御信号と認証情報信号とを区別化している。
【００６１】
続いて、上述した演出制御部２０２Ａなどの周辺部としての機能を有する周辺基板３３０の機能的構成について説明する。図３に示すように、周辺基板３３０は、周辺部（演出制御部）２０２Ａと、後段部２０２Ｂと、を有して構成している。そして、周辺基板３３０は、周辺部（演出制御部）２０２Ａと後段部２０２Ｂとの間で双方向通信が可能に構成している。なお、本実施例では、演出制御部２０２Ａと後段部２０２Ｂとを有する周辺基板３３０とした場合について説明するが、これに代えて、賞球制御部２０３側に後段部２０２Ｂを設けた周辺基板とすることもできる。
【００６２】
まず、後段部２０２Ｂは、後段側受信部３３１、後段側記憶部３３２、後段側履歴データ生成部３３３、後段認証結果データ生成部３３４、後段側送信部３３５、後段側切替部３３６、を有して構成している。
【００６３】
後段側受信部３３１は、本発明の後段側受信手段に相当し、主制御基板３１０が周辺部２０２Ａに送信して当該周辺部２０２Ａから転送された制御コマンドデータと認証情報を受信する。本実施形態の後段側受信部３３１は、例えば、認証情報に対応した認証情報信号を受信することによって、認証情報を主制御基板３１０から周辺部２０２Ａを介して受信する。また、後段側受信部３３１は、周辺部２０２Ａから転送されてきた制御信号を、認証情報信号とは別に受信することで、制御コマンドデータを受信する。
【００６４】
後段側記憶部３３２は、本発明の期待値記憶手段に相当している。後段側記憶部３３２としては、例えば、後段部２０２ＢのＲＯＭ２２、ＲＡＭ２３（図２参照）の一部を用いることができる。また、後段側記憶部３３２は、周辺部２０２Ａを介して主制御基板３１０から受信した複数の制御コマンドと複数の認証情報を、主制御基板３１０と同様に、ログデータとして時系列的に記憶する記憶領域を有している。
【００６５】
後段側記憶部３３２は、上述した主制御基板３１０から受信すべき１又は複数の個体識別値、即ち、主制御基板３１０のデータ記憶部３１１が記憶している個体識別値と一致する期待値を記憶している。これにより、周辺基板３３０の後段部２０２Ｂは、認証情報に設定された認証データと期待値が一致していれば、認証データが正規の個体識別値であると判定できる。また、認証情報に設定された認証データと期待値が一致していなければ、個体識別値ではないと判定できる。そして、期待値は、例えば、ぱちんこ遊技機１００の設計時、製造時等に主制御基板３１０の前記記憶データと前記生成方式に基づいて算出されて、ぱちんこ遊技機１００の製造時等に後段側記憶部３３２のＲＯＭ２２等に予め記憶される。そして、期待値は、後段部２０２ＢのＣＰＵ２１が実行するプログラムの一部として予め記憶することができる。
【００６６】
後段側記憶部３３２は、主制御部２０１と同様の履歴生成方式データを記憶している。そして、履歴生成方式データは、後段側履歴データ生成部３３３が用いる履歴生成方式を示しており、起動時等に初期値が設定され、その後は、後段側切替部３３６によって切り替えられる。
【００６７】
後段側履歴データ生成部３３３は、本発明の後段側履歴データ生成手段に相当し、主制御基板３１０から受信した制御コマンドの履歴を示す後段側履歴データを主制御基板３１０と同一の前記履歴生成方式で生成する。後段側履歴データ生成部３３３は、主制御基板３１０からの制御コマンドの受信時、受信後、等の予め定められた後段側生成タイミングに、主制御基板３１０と同一の履歴生成方式と後段側記憶部３３２に記憶している制御コマンドデータとに基づいて後段側履歴データを生成して記憶する。即ち、後段側履歴データ生成部３３３は、所定の受信回数分の制御コマンドデータを、例えば誤り検出方式、所定の暗号化方式、排他的論理和、等の履歴生成方式に基づいて算出して履歴データを生成する。よって、後段側履歴データは、主制御基板３１０が送信した制御コマンドデータのみを受信していれば、主制御基板３１０の履歴データと一致することになり、一致していなければ、不正な制御コマンドデータを受信していると判断することができる。
【００６８】
なお、本実施例の後段側履歴データ生成部３３３は、後段側記憶部３３２が記憶している後段側履歴データを、前記生成した後段側履歴データに更新して記憶する場合について説明する。この場合、後段側記憶部３３２は後段側履歴データ記憶手段として機能することになる。これに代えて、例えばＣＰＵ２１のレジスタ、ＲＡＭ２３の所定記憶領域、等に後段側履歴データを記憶する実施形態とすることもできる。また、後段側履歴データ生成手段とその記憶手段を専用のハードウェアで実現することもできる。
【００６９】
後段認証結果データ生成部３３４は、本発明の後段認証結果データ生成手段に相当し、前記受信した認証情報の認証データが前記期待値又は前記後段側履歴データと一致しているか否かの判定結果に基づいて主制御基板（主制御部）３１０の認証を行い、該認証結果を示す後段認証結果データを生成して周辺部２０２Ａに送信する。即ち、後段認証結果データは、後段部２０２Ｂが主制御基板３１０（主制御部２０１）を認証したか否かの認証結果を示している。そして、後段認証結果データ生成部３３４は、その認証データが後段側履歴データと一致した場合、認証データには履歴データが設定されており、後段側履歴データの生成に用いた制御コマンドは正当であると判断できるため、認証を成立させる。また、後段認証結果データ生成部３３４は、その認証データが期待値と一致した場合、認証データには個体識別値が設定されており、正当な個体識別値を受信したと判断できるため、認証を成立させる。即ち、後段認証結果データ生成部３３４は、受信した履歴データに基づく通信状態の継続性、又は、受信した個体識別値の判定結果の何れかが正当な場合に主制御基板３１０の認証を成立させる。なお、後段認証結果データ生成部３３４は、通信状態の継続性、及び、受信した個体識別値の双方が正当だと判定した時点で認証を成立させる実施形態とすることもできる。
【００７０】
後段側送信部３３５は、本発明の後段側送信手段に相当し、後段認証結果データ生成部３３４が生成した後段認証結果データを周辺部２０２Ａに送信する。そして、後段側送信部３３５は、例えば、前記生成した後段認証結果データを後段認証結果信号として周辺部２０２Ａに送信する。
【００７１】
後段側切替部３３６は、本発明の後段側切替手段に相当し、受信した認証情報の認証データが前記期待値と一致した場合、後段側履歴データ生成部３３３の履歴生成方式を、前記主制御基板３１０の切替部３１６と同様に、予め定められた複数の履歴生成方式の中から予め定められた切替方式で切り替える。よって、切替部３１６と後段側切替部３３６は、同期した切替タイミング且つ同一の切替方式で履歴生成方式を切り替えることができるため、周辺基板３３０の後段部２０２Ｂが不正な認証情報を受信しない限り、異なる履歴生成方式に切り替えられることはない。
【００７２】
次に、周辺部２０２Ａは、転送部３５１と、周辺側受信部３５２と、処理部３５３と、を有して構成している。
【００７３】
転送部３５１は、本発明の転送手段に相当し、主制御基板３１０から認証情報と複数種類の制御コマンドデータを受信し且つ該受信した認証情報と複数種類の制御コマンドを後段部２０２Ｂにそれぞれ転送する。本実施形態の転送部３５１は、例えば、認証情報に対応した前記認証情報信号と前記制御信号を主制御基板３１０から受信すると、該認証情報信号と制御信号を後段部２０２Ｂにそのまま送信することで、複数種類の認証情報と制御コマンドデータを後段部２０２Ｂに転送している。なお、転送部３５１は、例えば、認証情報信号と制御信号の各々を他の信号に置き換えて後段部２０２Ｂに転送する、又は、その信号を加工して後段部２０２Ｂに転送する等の種々異なる実施例とすることができる。
【００７４】
周辺側受信部３５２は、本発明の周辺側受信手段に相当し、周辺基板３３０の後段部２０２Ｂによって送信された前記後段認証結果データ等を受信する。そして、本実施形態の周辺側受信部３５２は、例えば後段部２０２Ｂが送信した前記後段認証結果信号を受信することによって、後段認証結果データを後段部２０２Ｂから受信する。
【００７５】
処理部３５３は、本発明の処理手段に相当し、後段部２０２Ｂから受信した後段認証結果データに応じて、ぱちんこ遊技機１００における所定の処理を行う。処理部３５３は、前記後段認証結果データが認証成立を示している場合、主制御基板３１０から受信した制御信号から制御コマンドを抽出し、該制御コマンドに対応した所定の処理を行う。また、処理部３５３は、前記後段認証結果データが認証不成立を示している場合、報知を行う。なお、前記所定の処理は、ぱちんこ遊技機１００における主制御部２０１からの制御コマンドに応じて行う、例えば、はずれ処理、大当たりリーチ処理、大当たり開始処理、大当たりラウンド処理、大当たり終了処理、等の処理が挙げられる。
【００７６】
なお、本実施形態では、周辺部２０２Ａと後段部２０２Ｂとの間で通信するデータを暗号化しない構成で説明するが、周辺部２０２Ａと後段部２０２Ｂとの間で通信するデータについても暗号化する構成とすることもできる。
【００７７】
本発明のぱちんこ遊技機１００は、個体識別値はぱちんこ遊技機１００の起動後に主制御基板３１０によって生成するようにしたことから、主制御基板３１０が個体識別するための個体識別値を予め記憶しておく必要がなくなり、不正な解析を困難にすることができる。また、履歴データ又は個体識別値の何れか一方が設定された認証情報を主制御基板３１０から周辺基板３３０の後段部２０２Ｂに送信し、周辺基板３３０の後段部２０２Ｂは当該認証情報の履歴データに基づいて制御コマンドの通信の継続性に基づいた認証を行い、また、当該認証情報の個体識別値に基づいて主制御基板３１０の個体識別に基づいた認証を行う構成を採用している。そして、主制御基板３１０及び周辺基板３３０の後段部２０２Ｂは、個体識別値を有する認証情報の出現に応じて履歴生成方式を同一の切替方式で切り替えるようにしたことから、認証情報の履歴データを不規則に変化させることができるため、認証情報に対する不正な解析を困難にすることができる。従って、主制御部２０１から周辺基板３３０の後段部２０２Ｂに単独で認証情報を送信しても、それが容易に解析されることを困難にすることができる。
【００７８】
また、本実施形態では、主制御基板３１０のＣＰＵ２１１が請求項中の第１コンピュータ、周辺基板３３０の周辺部（演出制御部）２０２ＡのＣＰＵ２４１が請求項中の第２コンピュータ、周辺基板３３０の後段部２０２ＢのＣＰＵ２１が請求項中の第３コンピュータとして機能させる場合について説明する。そして、主制御基板３１０のＲＯＭ２１２は、前記第１コンピュータを請求項中の個体識別値生成手段、履歴データ生成手段、選択手段、認証情報生成手段、切替手段、主制御側送信手段、等の各種手段として機能させるための主制御側認証プログラムを記憶している。また、周辺基板３３０の周辺部２０２ＡのＲＯＭ２４２は、前記第２コンピュータを請求項中の転送手段、周辺側受信手段、処理手段、等の各種手段として機能させるための周辺側認証プログラムを記憶している。また、周辺基板３３０の後段部２０２ＢのＲＯＭ２２は、前記第３コンピュータを請求項中の後段側受信手段、後段側履歴データ生成手段、後段認証結果データ生成手段、後段側送信手段、後段側切替手段、等の各種手段として機能させるための後段側認証プログラムを記憶している。即ち、主制御側認証プログラムと周辺側認証プログラムと後段側認証プログラムとによって本発明の認証プログラムを構成している。
【００７９】
（ぱちんこ遊技機の基本動作）
上記構成によるぱちんこ遊技機１００の基本動作の一例を説明する。主制御部２０１は、各入賞口に対する遊技球の入賞状況を制御コマンドとして賞球制御部２０３に出力する。賞球制御部２０３は、主制御部２０１から出力された制御コマンドに応じて、入賞状況に対応した賞球数の払い出しを行う。
【００８０】
また、主制御部２０１は、始動入賞口１０５に遊技球が入賞するごとに、対応する制御コマンドを演出制御部２０２Ａに出力し、演出制御部２０２Ａは、図柄表示部１０４の図柄を変動表示させ、停止させることを繰り返す。そして、主制御部２０１は、大当たりの発生が決定しているときには、対応する制御コマンドを演出制御部２０２Ａに出力し、演出制御部２０２Ａは、所定の図柄で揃えて変動表示を停止させるとともに、大入賞口１０９を開放する制御を行う。演出制御部２０２Ａは、大当たり発生期間中、および大当たり発生までの間のリーチ時や、リーチ予告時などには、図柄表示部１０４に対して、図柄の変動表示に加えて各種の演出表示を行う。このほか、各種役物に対して特定の駆動を行ったり、ランプ２６１の表示状態を補正するなどの演出を行う。
【００８１】
そして、主制御部２０１は、大当たり発生期間中に、大入賞口１０９を複数回開放させる。１回の開放が１ラウンドとして、例えば１５回のラウンドが繰り返し実行される。１ラウンドの期間は、遊技球が大入賞口１０９に例えば１０個入賞するまでの期間、あるいは所定期間（例えば３０秒）とされている。この際、賞球制御部２０３は、大入賞口１０９に対する遊技球１個の入賞当たり、例えば１５個の賞球数で払い出しを行う。ぱちんこ遊技機１００は、大当たり終了後、この大当たり状態を解除し、通常の遊技状態に復帰する。
【００８２】
（各制御部による処理の詳細）
次に、各制御部が行う各種処理の詳細について説明する。まず、主制御部２０１による演出制御部２０２Ａの制御処理について説明する。なお、図４〜図９においては、演出制御部２０２Ａの制御処理の手順を明確にするため、認証データおよび付随データについては考慮しないものとする。即ち、図４〜図９の説明において、「コマンドを送信する」とは、「当該コマンドを示すデータ（制御コマンドデータ）を含む制御信号を送信する」との意味であり、例えば認証データや付随データの有無は考慮しないものとする。
【００８３】
主制御部２０１は、図４に示すステップＳ４０１において、ぱちんこ遊技機１００の電源がオンされたか否かを判定する。主制御部２０１は、電源がオンされていないと判定した場合（Ｓ４０１：Ｎｏ）、この判定処理を繰り返すことで、ぱちんこ遊技機１００の電源がオンされるまで待機する。一方、主制御部２０１は、電源がオンされたと判定した場合（Ｓ４０１：Ｙｅｓ）、ステップＳ４０２の処理に移行する。
【００８４】
主制御部２０１は、ステップＳ４０２において、演出制御部２０２Ａや賞球制御部２０３などの各周辺部に対して電源オンコマンドを送信し、ステップＳ４０３の処理に移行する。この処理によって電源オンコマンドが送信されると、演出制御部２０２Ａは、ランプ制御部２５１や音声制御部２５２、図柄表示部１０４のそれぞれに対して電源オン時の演出用の制御コマンド（具体的には、ランプの点灯や音声の出力、デモストレーション（デモ）画面の表示などを指示する制御コマンド）を送信する。
【００８５】
主制御部２０１は、ステップＳ４０３において、ＲＯＭ２１２またはＲＡＭ２１３に記憶している未抽選入賞回数データを参照して、未抽選入賞回数が０回か否かを判別する。未抽選入賞回数とは、始動入賞口１０５に検出された入賞球の数（入賞回数）から、入賞球に対応する抽選が行われた回数（既抽選回数）を減じた数である。そして、主制御部２０１は、未抽選入賞回数が０回ではないと判定した場合（Ｓ４０３：Ｎｏ）、ステップ４１０の処理に移行する。一方、主制御部２０１は、未抽選入賞回数が０回であると判定した場合（Ｓ４０３：Ｙｅｓ）、ステップＳ４０４において、デモが開始されてから経過した時間を計測し、ステップＳ４０５の処理に移行する。
【００８６】
主制御部２０１は、デモが開始されてから所定時間が経過したか否かを判定する。主制御部２０１は、デモが開始されてから所定時間が経過していないと判定した場合（Ｓ４０５：Ｎｏ）、ステップＳ４０７の処理に移行する。一方、主制御部２０１は、デモが開始されてから所定時間が経過したと判定した場合（Ｓ４０５：Ｙｅｓ）、ステップＳ４０６において、演出制御部２０２Ａに客待ちデモコマンドを送信し、ステップＳ４０７の処理に移行する。
【００８７】
主制御部２０１は、ステップＳ４０７において、始動入賞口検出部２２１によって入賞球が検出されたか否かを判定する。主制御部２０１は、入賞球が検出されていないと判定した場合（Ｓ４０７：Ｎｏ）、ステップＳ４０４の処理に戻り、一連の処理を繰り返す。一方、主制御部２０１は、入賞球が検出されたと判定した場合（Ｓ４０７：Ｙｅｓ）、ステップＳ４０８において、デモが開始されてから計測していた時間をクリアし、ステップＳ４０９において、未抽選入賞回数に１を加算し、ステップＳ４１０の処理に移行する。そして、主制御部２０１は、ステップＳ４１０において、大当たり判定用乱数を取得し、ステップＳ４１１において、未抽選入賞回数から１を減算し、図５に示すステップＳ４１２の処理に移行する。
【００８８】
主制御部２０１は、ステップＳ４１２において、大当たり判定用乱数が大当たり乱数であるか否かを判定する。主制御部２０１は、大当たり乱数であると判定した場合（Ｓ４１２：Ｙｅｓ）、ステップＳ４１３において、演出制御部２０２Ａに大当たりリーチコマンド（図柄変動コマンド）を送信する。そして、主制御部２０１は、ステップＳ４１４において、図柄変動時間が経過したか否かを判定する。主制御部２０１は、図柄変動時間が経過していないと判定した場合（Ｓ４１４：Ｎｏ）、この判定処理を繰り返すことで、図柄変動時間が経過するのを待つ。一方、主制御部２０１は、図柄変動時間が経過したと判定した場合（Ｓ４１４：Ｙｅｓ）、ステップＳ４１５において、演出制御部２０２Ａに図柄停止コマンドを送信し、ステップＳ４１６の処理に移行する。
【００８９】
主制御部２０１は、ステップＳ４１６において、演出制御部２０２Ａに大当たり開始コマンドを送信し、続けて、ステップＳ４１７において、大当たり中の各ラウンドに対応するコマンド（大当たりコマンド）を演出制御部２０２Ａに順次送信する。そして、主制御部２０１は、全てのラウンドの大当たりコマンドの送信が終了すると、ステップＳ４１８において、大当たり終了コマンドを演出制御部２０２Ａに送信し、ステップＳ４２２の処理に移行する。
【００９０】
また、主制御部２０１は、ステップＳ４１２において、大当たり乱数ではないと判定した場合（Ｓ４１２：Ｎｏ）、ステップＳ４１９において、はずれリーチコマンド（図柄変動コマンド）を演出制御部２０２Ａに送信し、ステップＳ４２０の処理に移行する。そして、主制御部２０１は、ステップＳ４２０において、図柄変動時間が経過したか否かを判定する。主制御部２０１は、図柄変動時間が経過していないと判定した場合（Ｓ４２０：Ｎｏ）、この判定処理を繰り返すことで、図柄変動時間の経過を待つ。一方、主制御部２０１は、図柄変動時間が経過したと判定した場合（Ｓ４２０：Ｙｅｓ）、ステップＳ４２１において、図柄停止コマンドを演出制御部２０２Ａに送信し、ステップＳ４２２の処理に移行する。
【００９１】
主制御部２０１は、ステップＳ４２２において、ぱちんこ遊技機１００の電源がオフされたか否かを判定する。主制御部２０１は、電源がオフされていないと判定した場合（Ｓ４２２：Ｎｏ）、図４に示すステップＳ４０３の処理に戻り、一連の処理を繰り返す。一方、主制御部２０１は、電源がオフされたと判定した場合（Ｓ４２２：Ｙｅｓ）、ステップＳ４２３において、終了処理コマンドを演出制御部２０２Ａに送信し、本フローチャートによる処理を終了する。
【００９２】
上述した図４及び図５中の各種コマンドが、本発明の制御コマンドに相当し、主制御基板３１０は各種制御コマンドを送信する毎に、その制御コマンドデータをデータ記憶部３１１に履歴として記憶している。この制御コマンドデータの記憶に応じて、主制御基板３１０は、データ記憶部３１１の履歴データを更新する。なお、履歴データの更新については、認証情報の生成時に更新するようにすれば、主制御基板３１０の処理負担を軽減することができる。また、周辺基板３３０の後段部２０２Ｂは、各種制御コマンドを受信する毎に、その制御コマンドデータを後段側記憶部３３２に履歴として記憶しており、後段側記憶部３３２の後段側履歴データを任意のタイミングで更新する。
【００９３】
次に、ぱちんこ遊技機１００における大当たり関連コマンド（大当たりリーチコマンド、大当たり開始コマンド、大当たりコマンド、大当たり終了コマンド）の主制御部２０１から演出制御部２０２Ａに対する送信タイミングの一例を、図６の図面を参照して説明する。
【００９４】
大当たりリーチコマンドは、実際に大当たりが発生するよりも頻繁に、且つランダムに送信される。また、大当たり開始コマンドは、実際に大当たりが発生した場合に、大当たり状態に移行する際に１度だけ送信される。また、大当たりコマンドは、大当たり状態に移行した後、ラウンド毎に継続的に送信される。また、大当たり終了コマンドは、大当たり状態の全てのラウンドが終了し、通常の状態に移行する際に１度だけ送信される。
【００９５】
以下では、図柄変動時（大当たりリーチコマンド（図５のステップＳ４１３を参照）または、はずれリーチコマンド（図５のステップＳ４１９を参照）を受信した場合）及び、大当たり時の処理を説明する。
【００９６】
まず、演出制御部２０２Ａによる図柄変動処理について、図７に示すフローチャートを参照して説明する。演出制御部２０２Ａは、図７に示すステップＳ７０１において、主制御部２０１から図柄変動コマンドを受信したか否かを判定する。演出制御部２０２Ａは、図柄変動コマンドを受信していないと判定した場合（Ｓ７０１：Ｎｏ）、この判定処理を繰り返すことで、図柄変動コマンドの受信を待つ。一方、演出制御部２０２Ａは、図柄変動コマンドを受信したと判定した場合（Ｓ７０１：Ｙｅｓ）、ステップＳ７０２において、変動演出選択用乱数を取得し、ステップＳ７０３において、取得した乱数に基づいて変動演出の種類を選択し、ステップＳ７０４の処理に移行する。そして、演出制御部２０２Ａは、ステップＳ７０４において、ランプ制御部２５１や音声制御部２５２に対して変動演出別の演出開始コマンドを送信し、ステップＳ７０５の処理に移行する。
【００９７】
演出制御部２０２Ａは、ステップＳ７０５において、演出時間が経過したか否かを判定する。演出制御部２０２Ａは、演出時間が経過したと判定した場合（Ｓ７０５：Ｙｅｓ）、ステップＳ７０７の処理に移行する。一方、演出制御部２０２Ａは、演出時間が経過していないと判定した場合（Ｓ７０５：Ｎｏ）、ステップＳ７０６において、主制御部２０１から図柄停止コマンドを受信したか否かを判定する。そして、演出制御部２０２Ａは、図柄停止コマンドを受信していないと判定した場合（Ｓ７０６：Ｎｏ）、ステップＳ７０５の処理に戻り、一連の処理を繰り返す。一方、演出制御部２０２Ａは、図柄停止コマンドを受信したと判定した場合（Ｓ７０６：Ｙｅｓ）、ステップＳ７０７において、ランプ制御部２５１や音声制御部２５２に対して演出停止コマンドを送信し、本フローチャートによる処理を終了する。
【００９８】
続いて、演出制御部２０２Ａによる大当たり時処理について、図８に示すフローチャートを参照して説明する。演出制御部２０２Ａは、図８に示すステップＳ８０１において、主制御部２０１から大当たり開始コマンド（図５のステップＳ４１６を参照）を受信したか否かを判定する。演出制御部２０２Ａは、大当たり開始コマンドを受信していないと判定した場合（Ｓ８０１：Ｎｏ）、この判定処理を繰り返すことで、大当たり開始コマンドの受信を待つ。一方、演出制御部２０２Ａは、大当たり開始コマンドを受信したと判定した場合（Ｓ８０１：Ｙｅｓ）、ステップＳ８０２において、ランプ制御部２５１や音声制御部２５２に対して大当たり開始処理コマンドを送信し、ステップＳ８０３の処理に移行する。
【００９９】
演出制御部２０２Ａは、ステップＳ８０３において、主制御部２０１からラウンド別の大当たりコマンド（図５のステップＳ４１７を参照）を受信したか否かを判定する。演出制御部２０２Ａは、大当たりコマンドを受信していないと判定した場合（Ｓ８０３：Ｎｏ）、この判定処理を繰り返すことで、大当たりコマンドの受信を待つ。一方、演出制御部２０２Ａは、大当たりコマンドを受信したと判定した場合（Ｓ８０３：Ｙｅｓ）、ステップＳ８０４において、ランプ制御部２５１や音声制御部２５２に対して受信したラウンド別の大当たりコマンドに対応するラウンド別処理コマンドを送信し、ステップＳ８０５の処理に移行する。
【０１００】
演出制御部２０２Ａは、ステップＳ８０５において、主制御部２０１から大当たり終了コマンド（図５のステップＳ４１８を参照）を受信したか否かを判定する。演出制御部２０２Ａは、大当たり終了コマンドを受信していないと判定した場合（Ｓ８０５：Ｎｏ）、この判定処理を繰り返すことで、大当たり終了コマンドの受信を待つ。一方、演出制御部２０２Ａは、大当たり終了コマンドを受信したと判定した場合（Ｓ８０５：Ｙｅｓ）、ステップＳ８０６において、ランプ制御部２５１や音声制御部２５２に対して大当たり終了処理コマンドを送信し、本フローチャートによる処理を終了する。
【０１０１】
続いて、ランプ制御部２５１によるランプ制御処理について、図９に示すフローチャートを参照して説明する。ここでは、演出制御部２０２Ａから演出開始コマンドを受信した場合（図柄変動時）の処理について説明する。そして、ランプ制御部２５１は、図９に示すステップＳ９０１において、演出制御部２０２Ａから演出開始コマンドを受信したか否かを判定する。ランプ制御部２５１は、演出開始コマンドを受信していないと判定した場合（Ｓ９０１：Ｎｏ）、この判定処理を繰り返すことで、演出開始コマンドの受信を待つ。一方、ランプ制御部２５１は、演出開始コマンドを受信したと判定した場合（Ｓ９０１：Ｙｅｓ）、ステップＳ９０２において、コマンド別に予め用意されているコマンド別データを読み出し、ステップＳ９０３の処理に移行する。
【０１０２】
ランプ制御部２５１は、ステップＳ９０３において、コマンド別の選択ルーチンを実行し、ステップＳ９０４において、受信した演出開始コマンドに対応したランプデータをセットし、ステップＳ９０５において、ランプ２６１に対してランプデータを出力し、ステップＳ９０６の処理に移行する。そして、この処理によってランプ２６１は、ランプデータに基づいて点灯又は消灯する。
【０１０３】
ランプ制御部２５１は、ステップＳ９０６において、演出制御部２０２Ａから演出停止コマンドを受信したか否かを判定する。ランプ制御部２５１は、演出停止コマンドを受信していないと判定した場合（Ｓ９０６：Ｎｏ）、この判定処理を繰り返すことで、演出停止コマンドの受信を待つ。一方、ランプ制御部２５１は、演出停止コマンドを受信したと判定した場合（Ｓ９０６：Ｙｅｓ）、ステップＳ９０７において、ランプデータの出力を停止し、本フローチャートによる処理を終了する。
【０１０４】
なお、図９にはランプ制御部２５１の処理を記載したが、音声制御部２５２による音声制御も、図９の処理とほぼ同様である。音声制御部２５２による音声制御処理は、例えば、図９の処理において、ステップＳ９０４、Ｓ９０５、Ｓ９０７の「ランプデータ」を「音声データ」と読み替えればよい。
【０１０５】
（制御信号のデータフォーマット）
次に、主制御部２０１が出力する通常の制御信号の一例を説明する。
【０１０６】
図１０において、通常の制御信号１０１０は、制御コマンドデータ１００１と付随データ１００２とを有している。制御コマンドデータ１００１は、例えばリーチコマンドや大当たり開始コマンド、ラウンド別コマンドなどの各コマンド固有のデータである。また、付随データ１００２は、制御コマンドデータ１００１に付随するデータであり、例えば、入賞した遊技球の数などの制御コマンドデータ１００１に基づく処理に必要なデータである。
【０１０７】
（認証情報のデータフォーマット）
次に、上述した制御信号１０１０とは異なる認証情報信号が認証情報を有する場合の一例を説明する。なお、本実施形態では、主制御部２０１が後段部２０２Ｂに周辺部２０２Ａを介して認証情報信号を出力することで、認証情報を主制御部２０１から後段部２０２Ｂに送信する場合を前提に説明する。
【０１０８】
図１１において、認証情報１０２０は、識別部１０２１と、データ部１０２２と、を有して構成している。そして、識別部１０２１は、認証情報１０２０を識別することが可能な識別データが設定される。識別データの一例としては、相異なる複数種類の認証コマンドが挙げられ、例えば１６進数の０ｘＡ０、０ｘＢ０、等の値が設定される。これにより、後段部２０２Ｂは、識別部１０２１に基づいて複数種類の認証情報１０２０の各々の識別することができる。そして、認証コマンドは、上述した制御コマンドデータ１００１の制御コマンドと異なるコマンドとすることで、制御コマンドデータ１００１との区別化を図ることができる。
【０１０９】
データ部１０２２は、上述した履歴データ又は個体識別値の何れか一方が認証データとして設定される。本実施形態のデータ部１０２２は、履歴データ又は個体識別値の何れかが設定される場合について説明するが、これに代えて、履歴データ又は個体識別値の各々と他のデータを付随させてデータ部１０２２に設定する実施形態とすることもできる。
【０１１０】
即ち、本実施形態の認証情報１０２０は、図１２に示すように、識別部１０２１に１種類の「認証コマンドＣ」、データ部１０２２に履歴データを設定したものがデータ種別Ｋ１となっている。そして、認証情報１０２０は、識別部１０２１に「認証コマンドＣ」、データ部１０２２に個体識別値を設定したものがデータ種別Ｋ２となっている。
【０１１１】
続いて、図１１に示す後段認証結果信号は、後段部２０２Ｂが上述した認証情報１０２０を用いて主制御部２０１の認証を行った認証結果を示す後段認証結果情報１０３０を周辺部２０２Ａに送信する。そして、後段認証結果情報１０３０は、識別部１０３１と結果部１０３２とを有して構成している。識別部１０３１は、後段認証結果情報１０３０を識別することが可能な識別データが設定される。なお、識別データとしては、認証情報１０２０の識別部１０２１に設定されたデータを流用する、予め定められたデータを用いる、など種々異なる実施形態とすることができる。そして、結果部１０３２は、後段部２０２Ｂが主制御基板３１０を認証したか否かを示す認証結果データが設定される。なお、結果部１０３２は、認証不成立を示している場合、例えば、履歴データの不一致、個体識別値の不一致、等の不成立となった詳細を示す詳細データを有している。
【０１１２】
（履歴生成方式の一例）
本実施形態では、上述した主制御基板３１０の履歴データ生成部３１３及び後段部２０２Ｂの後段側履歴データ生成部３３３が、履歴生成方式を図１３に示す履歴生成方式情報に基づいて切り替える場合について説明する。
【０１１３】
図１３（ａ）に示す履歴生成方式情報は、例えば、加算、減算、ＸＯＲ、ＸＮＯＲの４つの演算方式の切り替えに用いる情報となっている。この場合、その演算対象となる制御コマンドは、予め定められていることを前提としている。次に、図１３（ｂ）に示す履歴生成方式情報は、例えば、大当たり制御コマンド、リーチ制御コマンド、はずれ制御コマンドの４つの制御コマンドの切り替えに用いる情報となっている。この場合、該当する制御コマンドに対する演算方式は、加算、減算、ＸＯＲ、ＸＮＯＲ、等の演算方式が予め定められていることを前提としている。次に、図１３（ｃ）に示す履歴生成方式情報は、受信した制御コマンドの１個前、３個前、５個前の制御コマンドを演算対象とする場合に用いる情報となっている。この場合も同様に、演算方式は予め定められていることを前提としている。次に、図１３（ｄ）に示す履歴生成方式情報は、受信した制御コマンドを含む３個分を累積、５個分を累積、１０個分を累積というように制御コマンドの遡及数の切り替えに用いる情報となっている。この場合も同様に、演算方式は予め定められていることを前提としている。
【０１１４】
切替部３１６及び後段側切替部３３６は、履歴生成方式情報が示す複数の履歴生成方式を、予め決められた共通の切替方式で切り替える。そして、切替方式の一例としては、先頭から順次切り替え、切替順番を指定、切替パターンを指定、等が挙げられる。例えば、図１３（ａ）の履歴生成方式情報を順次切り替える場合は、まず、「加算」の履歴生成方式を用い、その後、個体識別値の発生に応じて、次の「減算」の履歴生成方式に切り替わる。また、図１３（ａ）の履歴生成方式情報を切替パターンで切り替える場合、切替パターンを１番目、３番目、２番目、４番目というように切り替える。このように切替方式は、共通に用いることができれば、その切り替え方式は任意に設定することができる。
【０１１５】
（認証情報信号の送受信に関する処理）
以下に、主制御部２０１と後段部２０２Ｂとの間で行う上記認証情報信号の通信例を説明する。まず、主制御部２０１のＣＰＵ２１１（第１コンピュータ）による認証情報信号の送信手順の一例を、図１４のフローチャートを参照して説明する。
【０１１６】
ぱちんこ遊技機１００の電源がＯＮ（投入）されると、主制御部２０１は図１４に示す被認証側処理を実行し、ステップＳ１２００において、上記個体識別値生成部３１２に示したように個体識別値を生成してデータ記憶部３１１に記憶し、その後ステップＳ１２０１の処理に進む。なお、主制御部２０１が複数の個体識別値を用い且つその一部を生成する場合、一部の個体識別値を生成し、残りの生成しない個体識別値は予め定められた値を前記生成しない個体識別値とする。
【０１１７】
主制御部２０１は、ステップＳ１２０１において、データ記憶部３１１に記憶されている制御コマンドに基づいて、制御コマンドが発生しているか否かを判定する。主制御部２０１は、制御コマンドが発生していないと判定した場合（Ｓ１２０１：Ｎｏ）、ステップＳ１２０３の処理に進む。一方、主制御部２０１は、制御コマンドが発生していると判定した場合（Ｓ１２０１：Ｙｅｓ）、ステップＳ１２０２において、データ記憶部３１１の履歴生成方式データと該履歴生成方式が生成対象とする制御コマンドデータに基づいて、履歴データを生成してデータ記憶部３１１に記憶し、その後ステップＳ１２０３の処理に進む。
【０１１８】
主制御部２０１は、ステップＳ１２０３において、予め定められた認証タイミングであるか否かを判定する。主制御部２０１は、認証タイミングではないと判定した場合（Ｓ１２０３：Ｎｏ）、ステップＳ１２１１の処理に進む。一方、主制御部２０１は、認証タイミングであると判定した場合（Ｓ１２０３：Ｙｅｓ）、ステップＳ１２０４の処理に進む。
【０１１９】
主制御部２０１は、ステップＳ１２０４において、乱数等に基づいて履歴データ／個体識別値の何れか一方を無作為に選択し、該選択結果をＲＡＭ２１３等に記憶し、その後ステップＳ１２０５の処理に進む。そして、主制御部２０１は、ステップＳ１２０５において、履歴データを選択したか否かを判定する。主制御部２０１は、履歴データを選択したと判定した場合（Ｓ１２０５：Ｙｅｓ）、ステップＳ１２０６において、識別部１０２１に認証コマンドＣ、データ部１０２２に認証データとしての履歴データを設定した認証情報（履歴データ）１０２０を生成してデータ記憶部３１１に記憶し、その後ステップＳ１２０９の処理に進む。
【０１２０】
一方、主制御部２０１は、履歴データを選択していないと判定した場合（Ｓ１２０５：Ｎｏ）、ステップＳ１２０７において、識別部１０２１に認証コマンドＣ、データ部１０２２に認証データとしての個体識別値を設定した認証情報（個体識別値）１０２０を生成してデータ記憶部３１１に記憶し、その後ステップＳ１２０８の処理に進む。そして、主制御部２０１は、ステップＳ１２０８において、予め定められた複数の履歴生成方式の中から１つの履歴生成方式を前記切替方式で切り替え、該切り替えた履歴生成方式となるようにデータ記憶部３１１の履歴生成方式データを更新し、その後ステップＳ１２０９の処理に進む。
【０１２１】
主制御部２０１は、ステップＳ１２０９において、前記今回生成した認証情報１０２０を、後段部２０２Ｂとの間で予め定められた暗号化方法で暗号化し、ステップＳ１２１０において、前記暗号化した認証情報１０２０に基づいて認証情報信号を生成して主制御側送信部３１７から周辺基板３３０の周辺部２０２Ａに対して送信することで、該認証情報信号が周辺部２０２Ａを介して後段部２０２Ｂに送信され、その後ステップＳ１２１１の処理に進む。なお、主制御部２０１と後段部２０２Ｂとの間で暗号化が不要な場合は、ステップＳ１２０９の処理を削除して、認証情報１０２０をそのまま後段部２０２Ｂに周辺部２０２Ａを介して送信する。
【０１２２】
主制御部２０１は、ステップＳ１２１１において、ぱちんこ遊技機１００の電源がオフされたか否かを判定する。そして、主制御部２０１は、電源がオフされていないと判定した場合（Ｓ１２１１：Ｎｏ）、ステップＳ１２０１の処理に戻り、一連の処理を繰り返す。一方、主制御部２０１は、電源がオフされたと判定した場合（Ｓ１２１１：Ｙｅｓ）、本フローチャートによる処理を終了する。
【０１２３】
続いて、後段部２０２ＢのＣＰＵ２１（第３コンピュータ）による前記認証情報信号の受信処理の手順を、図１５のフローチャートを参照して説明する。
【０１２４】
後段部２０２Ｂは、図１５に示す認証側処理を実行すると、ステップＳ１３０１において、後段側受信部３３１が主制御部２０１から制御コマンドを受信しているか否かを判定する。後段部２０２Ｂは、制御コマンドを受信していないと判定した場合（Ｓ１３０１：Ｎｏ）、ステップＳ１３０３の処理に進む。一方、後段部２０２Ｂは、制御コマンドを受信していると判定した場合（Ｓ１３０１：Ｙｅｓ）、ステップＳ１３０２において、受信した制御コマンド（制御信号）を後段側記憶部３３２に記憶し、主制御部２０１と同様に、後段側記憶部３３２の履歴生成方式データと該履歴生成方式が生成対象とする制御コマンドデータに基づいて、後段側履歴データを生成して後段側記憶部３３２に記憶し、その後ステップＳ１３０３の処理に進む。
【０１２５】
後段部２０２Ｂは、ステップＳ１３０３において、後段側受信部３３１によって主制御部２０１から認証情報（認証情報信号）１０２０を受信したか否かを判定する。後段部２０２Ｂは、認証情報１０２０を受信していないと判定した場合（Ｓ１３０３：Ｎｏ）、ステップＳ１３１２の処理に進む。一方、後段部２０２Ｂは、認証情報１０２０を受信したと判定した場合（Ｓ１３０３：Ｙｅｓ）、ステップＳ１３０４の処理に進む。
【０１２６】
後段部２０２Ｂは、ステップＳ１３０４において、受信した認証情報１０２０を主制御部２０１の前記暗号化方式に対応した復号化方式で復号化し、該認証情報１０２０のデータ部１０２２から認証データを抽出して後段側記憶部３３２に記憶し、その後ステップＳ１３０５の処理に進む。なお、主制御部２０１と後段部２０２Ｂとの間で暗号化が不要な場合は、ステップＳ１３０４における復号化処理を削除する。
【０１２７】
後段部２０２Ｂは、ステップＳ１３０５において、前記受信した認証データと後段側記憶部３３２に記憶している後段側履歴データとが一致しているか否かの判定結果に基づいて、認証データが履歴データ（後段側履歴データ）であるか否かを判定する。後段部２０２Ｂは、認証データが履歴データであると判定した場合（Ｓ１３０５：Ｙｅｓ）、主制御部２０１から受信している制御コマンドは正規のものであり、通信の継続性は正当であることから、ステップＳ１３０６において、主制御部２０１に対する履歴データによる認証を成立させ、該履歴による認証成立を示す後段認証結果データを生成してＲＡＭ２３等に記憶し、その後ステップＳ１３１１の処理に進む。
【０１２８】
一方、後段部２０２Ｂは、認証データが履歴データではないと判定した場合（Ｓ１３０５：Ｎｏ）、ステップＳ１３０７において、その認証データと後段側記憶部３３２に予め記憶している期待値とが一致しているか否かを判定する。後段部２０２Ｂは、認証データと期待値とが一致していると判定した場合（Ｓ１３０７：Ｙｅｓ）、主制御部２０１から受信した個体識別値は正規のものであることから、ステップＳ１３０８において、個体識別値による認証を成立させ、該個体識別値による認証成立を示す後段認証結果データを生成してＲＡＭ２３等に記憶し、その後ステップＳ１３０９の処理に進む。そして、後段部２０２Ｂは、ステップＳ１３０９において、主制御部２０１と同様に、予め定められた複数の履歴生成方式の中から１つの履歴生成方式を前記切替方式で切り替え、該切り替えた履歴生成方式となるように後段側記憶部３３２の履歴生成方式データを更新し、その後ステップＳ１３１１の処理に進む。一方、後段部２０２Ｂは、認証データと期待値とが一致していないと判定した場合（Ｓ１３０７：Ｎｏ）、認証データが後段側履歴データと期待値の何れとも一致しないことから、ステップＳ１３１０において、主制御部２０１に対する認証を不成立とし、該認証不成立を示す後段認証結果データを生成してＲＡＭ２３等に記憶し、その後ステップＳ１３１１の処理に進む。
【０１２９】
後段部２０２Ｂは、ステップＳ１３１１において、前記生成した後段認証結果データを結果部１０３２に設定して後段認証結果情報１０３０を生成し、該後段認証結果情報１０３０を付加した後段認証結果信号を生成して後段側送信部３３５から周辺部２０２Ａに対して送信し、その後ステップＳ１３１２の処理に進む。
【０１３０】
後段部２０２Ｂは、ステップＳ１３１２において、ぱちんこ遊技機１００の電源がオフされたか否かを判定する。そして、周辺部は、電源がオフされていないと判定した場合（Ｓ１３１２：Ｎｏ）、ステップＳ１３０１の処理に戻り、一連の処理を繰り返す。一方、後段部２０２Ｂは、電源がオフされたと判定した場合（Ｓ１３１２：Ｙｅｓ）、本フローチャートによる処理を終了する。
【０１３１】
続いて、周辺部２０２ＡのＣＰＵ２４１（第２コンピュータ）による各種制御信号及び後段認証結果信号のの受信処理の手順を、図１６のフローチャートを参照して説明する。
【０１３２】
周辺部２０２Ａは、ステップＳ１４０１において、主制御部２０１から制御信号１０１０を受信したか否かを判定する。周辺部２０２Ａは、制御信号１０１０を受信したと判定した場合（Ｓ１４０１：Ｙｅｓ）、ステップＳ１４０２において、制御信号１０１０をそのまま転送部３５１から後段部２０２Ｂに転送（送信）し、その後ステップＳ１４０３の処理に進む。そして、周辺部２０２Ａは、ステップＳ１４０３において、受信した制御信号１０１０に含まれている制御コマンドデータ１００１および付随データ１００２に基づく所定の処理を行い、その後ステップＳ１４０８の処理に進む。
【０１３３】
一方、周辺部２０２Ａは、制御信号１０１０を受信していないと判定した場合（Ｓ１４０１：Ｎｏ）、ステップＳ１４０４において、主制御部２０１から認証情報（認証情報信号）１０２０を受信したか否かを判定する。周辺部２０２Ａは、認証情報１０２０を受信したと判定した場合（Ｓ１４０４：Ｙｅｓ）、ステップＳ１４０５において、その認証情報１０２０をそのまま転送部３５１から後段部２０２Ｂに転送（送信）し、その後ステップＳ１４０８の処理に進む。一方、周辺部２０２Ａは、認証情報１０２０を受信していないと判定した場合（Ｓ１４０４：Ｎｏ）、ステップＳ１４０６の処理に進む。
【０１３４】
周辺部２０２Ａは、ステップＳ１４０６において、受信した信号が識別部１０３１を有しているか否か等に基づいて、後段部２０２Ｂから後段認証結果信号を受信したか否かを判定する。そして、周辺部２０２Ａは、後段認証結果信号を受信していないと判定した場合（Ｓ１４０６：Ｎｏ）、ステップＳ１４０８の処理に進む。一方、周辺部２０２Ａは、後段認証結果信号を受信していると判定した場合（Ｓ１４０６：Ｙｅｓ）、ステップＳ１４０７の処理に進む。
【０１３５】
周辺部２０２Ａは、ステップＳ１４０７において、受信した後段認証結果信号の結果部１０３２を参照して、後段認証結果信号は認証成立を示しているか否かを判定する。そして、周辺部２０２Ａは、後段認証結果が認証成立を示していると判定した場合（Ｓ１４０７：Ｙｅｓ）、その認証結果をＲＡＭ２４３等に記憶し、その後ステップＳ１４０８の処理に進む。
【０１３６】
周辺部２０２Ａは、ステップＳ１４０８において、ぱちんこ遊技機１００の電源がオフされたか否かを判定する。そして、周辺部２０２Ａは、電源がオフされていないと判定した場合（Ｓ１４０８：Ｎｏ）、ステップＳ１４０１の処理に戻り、一連の処理を繰り返す。一方、周辺部２０２Ａは、電源がオフされたと判定した場合（Ｓ１４０８：Ｙｅｓ）、本フローチャートによる処理を終了する。
【０１３７】
一方、周辺部２０２Ａは、ステップＳ１４０７で後段認証結果が認証成立を示していないと判定した場合（Ｓ１４０７：Ｎｏ）、ステップＳ１４０９において、例えばスピーカ２６２（図２参照）等から報知信号を出力して、本フローチャートによる処理を終了する。なお、後段認証結果が認証成立を示していない、即ち、認証不成立を示している場合の周辺部２０２Ａの処理については、報知信号を出力するだけで、周辺部２０２Ａの処理を継続させるようにしてもよい。
【０１３８】
（履歴生成方式の切り替え手順例）
次に、ぱちんこ遊技機１００において、主制御基板３１０と周辺基板３３０の後段部２０２Ｂが第１履歴生成方式と第２履歴生成方式を順次切り替える場合の手順の一例を、図１７の図面を参照して説明する。
【０１３９】
図１７において、被認証者である主制御基板３１０は、ぱちんこ遊技機１００の起動等に応じて個体識別値を生成し、該生成した個体識別値をデータ記憶部３１１に記憶する（Ｓ１５００）。その後、主制御基板３１０は、ぱちんこ遊技機１００の動作に応じて制御コマンドを周辺基板３３０の周辺部２０２Ａに送信すると、該制御コマンドをデータ記憶部３１１に記憶する（Ｓ１５０１）。そして、主制御基板３１０は、該送信した制御コマンドと第１履歴生成方式に基づいて履歴データを生成してデータ記憶部３１１に記憶する（Ｓ１５０２）。一方、周辺基板３３０の周辺部２０２Ａは、制御コマンドを受信すると、該制御コマンドを周辺基板３３０の後段部２０２Ｂに転送する（Ｓ１５４１）。そして、周辺部２０２Ａは、該受信した制御コマンドに対応した所定の処理を行う（Ｓ１５４２）。一方、後段部２０２Ｂは、周辺部２０２Ａから受信した制御コマンドを後段側記憶部３３２に記憶し（Ｓ１５７１）、主制御基板３１０と同様に、該受信した制御コマンドと第１履歴生成方式に基づいて後段側履歴データを生成して後段側記憶部３３２に記憶する（Ｓ１５７２）。
【０１４０】
その後、主制御基板３１０は、履歴データと個体識別値のうちの履歴データを無作為に選択すると（Ｓ１５０３）、該履歴データを認証データとして有する認証情報１０２０を生成して周辺基板３１０の周辺部２０２Ａに送信する（Ｓ１５０４）。一方、周辺基板３３０の周辺部２０２Ａは、主制御基板３１０から受信した認証情報を周辺基板３３０の後段部２０２Ｂに転送する（Ｓ１５４３）。一方、後段部２０２Ｂは、受信した認証情報１０２０の認証データが後段側履歴データと一致することから、周辺基板３３０と主制御基板３１０との制御コマンドの通信の継続性に基づく認証を行う（Ｓ１５７３）。そして、後段部２０２Ｂは、その認証結果を示す後段認証結果データを生成して周辺基板３３０の周辺部２０２Ａに送信する（Ｓ１５７４）。そして、周辺部２０２Ａは、受信した後段認証結果データをＲＡＭ２４３等に記憶する。
【０１４１】
主制御基板３１０は、次の制御コマンドを周辺基板３３０の周辺部２０２Ａに送信すると、該制御コマンドをデータ記憶部３１１に記憶する（Ｓ１５０５）。そして、主制御基板３１０は、該送信した制御コマンドと第１履歴生成方式に基づいて履歴データを生成してデータ記憶部３１１に記憶する（Ｓ１５０６）。一方、周辺基板３３０の周辺部２０２Ａは、制御コマンドを受信すると、該制御コマンドを周辺基板３３０の後段部２０２Ｂに転送する（Ｓ１５４４）。そして、周辺部２０２Ａは、前記後段認証結果データが正常を示していると、該受信した制御コマンドに対応した所定の処理を行う（Ｓ１５４５）。一方、後段部２０２Ｂは、周辺部２０２Ａから受信した制御コマンドを後段側記憶部３３２に記憶し（Ｓ１５７５）、主制御基板３１０と同様に、該受信した制御コマンドと第１履歴生成方式に基づいて後段側履歴データを生成して後段側記憶部３３２に記憶する（Ｓ１５７６）。
【０１４２】
その後、主制御基板３１０は、履歴データと個体識別値のうちの個体識別値を無作為に選択すると（Ｓ１５０７）、該個体識別値を認証データとして有する認証情報１０２０を生成して周辺基板３１０の周辺部２０２Ａに送信する（Ｓ１５０８）。そして、主制御基板３１０は、第１履歴生成方式を第２履歴生成方式に切り替えてデータ記憶部３１１に記憶する（Ｓ１５０９）。一方、周辺基板３３０の周辺部２０２Ａは、主制御基板３１０から受信した認証情報を周辺基板３３０の後段部２０２Ｂに転送する（Ｓ１５４６）。一方、後段部２０２Ｂは、受信した認証情報１０２０の認証データが期待値と一致することから、主制御基板３１０の個体認証に基づく認証を行う（Ｓ１５７７）。そして、後段部２０２Ｂは、その認証結果を示す後段認証結果データを生成して周辺基板３３０の周辺部２０２Ａに送信する（Ｓ１５７８）。そして、周辺部２０２Ａは、受信した後段認証結果データをＲＡＭ２４３等に記憶する。
【０１４３】
主制御基板３１０は、次の制御コマンドを周辺基板３３０の周辺部２０２Ａに送信すると、該制御コマンドをデータ記憶部３１１に記憶する（Ｓ１５１０）。そして、主制御基板３１０は、該送信した制御コマンドと第２履歴生成方式に基づいて履歴データを生成してデータ記憶部３１１に記憶する（Ｓ１５１１）。一方、周辺基板３３０の周辺部２０２Ａは、制御コマンドを受信すると、該制御コマンドを周辺基板３３０の後段部２０２Ｂに転送する（Ｓ１５４７）。そして、周辺部２０２Ａは、前記後段認証結果データが正常を示していると、該受信した制御コマンドに対応した所定の処理を行う（Ｓ１５４８）。一方、後段部２０２Ｂは、周辺部２０２Ａから受信した制御コマンドを後段側記憶部３３２に記憶し（Ｓ１５７９）、主制御基板３１０と同様に、該受信した制御コマンドと第２履歴生成方式に基づいて後段側履歴データを生成して後段側記憶部３３２に記憶する（Ｓ１５８０）。
【０１４４】
このように生成された履歴データ及び後段側履歴データは、切り替えられた第２履歴生成方式で生成されていることから、それまでの履歴データ及び後段側履歴データは生成方式とは異なっているため、不正に解析するのは困難となっている。そして、以降も同様の処理を行う。
【０１４５】
以上説明したぱちんこ遊技機１００によれば、主制御部２０１は個体識別値を生成するようにしたことから、主制御部２０１に個体識別値を予め記憶しておく必要がなくなるため、ぱちんこ遊技機１００における主制御部２０１の認証のために予め記憶しておくデータ量の増加を抑制することができる。また、主制御部２０１のデータが不正に解析されても、前記生成する個体識別値は予め記憶していないため、主制御部２０１の認証に対する不正解析の防止に貢献することができる。そして、主制御部２０１が制御コマンドの履歴を示す履歴データ又は個体識別値の何れか一方を有する認証情報１０２０を後段部２０２Ｂに送信し、個体識別値を有する認証情報１０２０の送信に応じて履歴データを生成する履歴生成方式を切り替えるようにしたことから、履歴生成方式を切り替えて履歴データを生成することができるため、履歴データの生成方式の解析を困難にすることができ、且つ、認証情報が履歴データを有しているのか個体識別値を有しているのかの推測を困難にすることができる。また、後段部２０２Ｂは、個体識別値を有する認証情報１０２０の受信に応じて後段側履歴データの履歴生成方式を主制御部２０１と同様に切り替えればよいため、主制御部２０１と同期しやすく、認証情報１０２０に不正が生じると履歴生成方式が一致しなくなり、不正の防止に貢献することができる。そして、後段部２０２Ｂは、履歴データに基づいて制御コマンドの通信継続性を確認して認証するようにしたことから、不正な制御コマンドによる不正な通信切り替えを検出することができるため、不正な制御コマンドを周辺部２０２Ａに送信されるのを防止でき、不正な通信切り替え防止に貢献することができる。そして、履歴生成方式を切り替えるようにしたことから、生成する履歴データの継続性がなくなり、制御コマンドと履歴生成方式に着目して不正に解析しても、制御コマンドの出現順序と履歴データの出現順序との関連性（対応関係など）を推測することが困難となるため、不正な解析者が認証情報を不正に利用することを防止できる。また、後段部２０２Ｂが主制御部２０１に対する認証処理を行い、その後段認証結果を周辺部２０２Ａに送信するようにしたことから、周辺部２０２Ａは認証処理を行わずに後段認証結果を参照するだけで良いため、周辺部２０２ＡのＣＰＵ２４１の処理負荷を軽減することができる。さらに、主制御部２０１がぱちんこ遊技機１００の起動時から認証情報１０２０の生成時までの間に個体識別値を生成して予め記憶しておくことで、認証情報の生成時に複雑な演算を行う必要がなくなり、主制御部２０１の処理負担の増加を防止できる。また、後段部２０２Ｂが主制御部２０１からの制御コマンドの履歴を管理するようにしたことから、周辺部２０２Ａでは制御コマンドの履歴管理が不要となるため、セキュリティの向上による周辺部２０２Ａの処理負担の増加を防止することができる。しかも、周辺部２０２Ａは、主制御部２０１から受信した制御コマンドを後段部２０２Ｂに転送して所定の処理を行うことができることから、周辺部２０２Ａと後段部２０２Ｂが同時に処理を行うことができるため、周辺部２０２Ａにおける所定の処理に遅れが生じることを防止できる。従って、制御コマンドの通信継続性が確認できて、認証に用いる認証情報１０２０の解析を困難にすることができ且つ周辺部２０２ＡのＣＰＵ２４１の処理負荷を軽減することができる。
【０１４６】
上述したぱちんこ遊技機１００において、履歴データ及び後段側履歴データが複数回分の制御コマンドの履歴を示すようにすれば、認証情報１０２０の送信回数を減らしても、その間に生じた制御コマンドの不正を検出することができるため、認証精度の向上を図ることができる。そして、履歴データ及び後段側履歴データを過去の履歴データを演算した値とすることで、不正な解析者による解析をより一層困難とすることができる。
【０１４７】
（実施例１の他の構成）
次に、上述した実施例１のぱちんこ遊技機１００の他の構成の一例を説明する。なお、上述した構成と同一部分については、同一の符号を付して異なる部分のみを詳細に説明する。
【０１４８】
主制御基板３１０は、上述したデータ記憶部３１１、個体識別値生成部３１２、履歴データ生成部３１３、選択部３１４、認証情報生成部３１５、切替部３１６、主制御側送信部３１７と、図３中の破線で示す計数部３１８と、を有して構成する。
【０１４９】
計数部３１８は、本発明の計数手段に相当し、個体識別値を有する認証情報１０２０の出現回数を計数し、その出現回数をデータ記憶部３１１に記憶する。そして、切替部３１６がその出現回数に基づいて履歴生成方式を切り替えるか否かの切替条件を、データ記憶部３１１や主制御基板３１０が実行するプログラムの一部として記憶しておく。そして、切替部３１６は、計数部３１８が計数した出現回数が切替条件を満たしたときに、上述したように履歴生成方式を切り替えるように構成する。
【０１５０】
周辺基板３３０の後段部２０２Ｂは、上述した後段側受信部３３１、後段側記憶部３３２、後段側履歴データ生成部３３３、後段認証結果データ生成部３３４、後段側送信部３３５、後段側切替部３３６と、図３中の破線で示す後段側計数部３３７と、を有して構成する。なお、周辺部２０２Ａは、上述した転送部３５１、周辺側受信部３５２、処理部３５３を有して構成しているため、その説明は省略する。
【０１５１】
後段側計数部３３７は、本発明の後段側計数手段に相当し、主制御基板３１０からの個体識別値を有する認証情報１０２０の受信回数を計数し、その受信回数を後段側記憶部３３２に記憶する。そして、後段側計数部３３７がその受信回数に基づいて履歴生成方式を切り替えるか否かの切替条件を、後段側記憶部３３２や後段部２０２Ｂが実行するプログラムの一部として記憶しておく。この切替条件は、主制御基板３１０と同一の切替条件とする。そして、後段側切替部３３６は、後段側計数部３３７が計数した受信回数が切替条件を満たしたときに、履歴生成方式を上述したように切り替えるように構成する。
【０１５２】
即ち、計数部３１８の出現回数は、主制御基板３１０から周辺基板３３０に送信する個体識別値を有する認証情報１０２０の数であり、後段側計数部３３７の受信回数は、周辺基板３３０が主制御基板３１０から受信した個体識別値を有する認証情報１０２０の数となっている。よって、計数部３１８が計数した出現回数と後段側計数部３３７が計数した受信回数は、不正な認証情報が発生しない限り、計数値は同一の値となるため、切替部３１６及び後段側切替部３３６が共通の切替条件を用いることで、履歴生成方式の切り替えを同期させることができる。
【０１５３】
（認証情報信号の送受信に関する他の処理）
以下に、上述した構成において、主制御部２０１と後段部２０２Ｂとの間で行う上記認証情報信号の通信例を説明する。まず、主制御部２０１のＣＰＵ２１１（第１コンピュータ）による認証情報信号の他の送信手順の一例を、図１８のフローチャートを参照して説明する。なお、図１８に示すフローチャートの基本処理は、上述した図１４に示すフローチャートと同一であるため、異なる部分のみを説明する。
【０１５４】
ぱちんこ遊技機１００の電源がＯＮ（投入）されると、主制御部２０１は図１８に示す被認証側処理を実行し、ステップＳ１２００〜Ｓ１２０７の処理が終了すると、主制御部２０１は、ステップＳ１２２１において、出現した個体識別値の出現回数を計数してデータ記憶部３１１に記憶し、その後ステップＳ１２２２において、計数した出現回数が前記切替条件を満たしているか否かを判定する。なお、出現回数は、被認証側処理の図示しない初期処理等でクリアされることを前提としている。そして、主制御部２０１は、出現回数が切替条件を満たしていないと判定した場合（Ｓ１２２２：Ｎｏ）、上述したステップＳ１２０９の処理に進む。一方、主制御部２０１は、出現回数が切替条件を満たしていると判定した場合（Ｓ１２２２：Ｙｅｓ）、上述したステップＳ１２０８の処理と同様に、予め定められた複数の履歴生成方式の中から１つの履歴生成方式を前記切替方式で切り替え、該切り替えた履歴生成方式となるようにデータ記憶部３１１の履歴生成方式データを更新し、その後上述したステップＳ１２０９の処理に進む。以降は、上述したステップＳ１２０９〜Ｓ１２１１の処理を実行する。
【０１５５】
なお、本実施例では、出現回数を継続的にインクリメントし、切替条件を３の倍数、５の倍数、等とした場合について説明するが、これに代えて、履歴生成方式を切り替える毎に出現回数をクリアする実施例とすることもできる。また、切替条件が、例えば、３、７、１１、・・・等の不規則な回数を切替条件としておくことで、履歴生成方式の切り替えタイミングをより一層複雑化することができる。
【０１５６】
続いて、後段部２０２ＢのＣＰＵ２３１（第２コンピュータ）による前記認証情報信号の他の受信処理の手順を、図１９のフローチャートを参照して説明する。なお、図１９に示すフローチャートの基本処理は、上述した図１５に示すフローチャートと同一であるため、異なる部分のみを説明する。
【０１５７】
後段部２０２Ｂは、図１９に示す認証側処理を実行すると、ステップＳ１３０１〜Ｓ１３０８の処理を終了すると、ステップＳ１３２１において、受信した個体識別値の受信回数を計数して後段側記憶部３３２に記憶し、その後ステップＳ１３２２において、計数した受信回数が前記切替条件を満たしているか否かを判定する。なお、受信回数は、認証側処理の図示しない初期処理等でクリアされることを前提としている。そして、後段部２０２Ｂは、受信回数が切替条件を満たしていないと判定した場合（Ｓ１３２２：Ｎｏ）、上述したステップＳ１３１１の処理に進む。一方、後段部２０２Ｂは、受信回数が切替条件を満たしていると判定した場合（Ｓ１３２２：Ｙｅｓ）、上述したステップＳ１３０９と同様に、予め定められた複数の履歴生成方式の中から１つの履歴生成方式を前記切替方式で切り替え、該切り替えた履歴生成方式となるように後段側記憶部３３２の履歴生成方式データを更新し、その後上述したステップＳ１３１１の処理に進む。以降は、上述したステップＳ１３１１〜Ｓ１３１２の処理を実行する。
【０１５８】
なお、周辺基板３３０における周辺部２０２ＡのＣＰＵ２４１（第２コンピュータ）が行う上記制御信号と上記後段認証結果信号の受信処理の手順は、実施例１の図１６に示す処理をそのまま用いることができるため、詳細な説明は省略する。
【０１５９】
続いて、上述したように構成したぱちんこ遊技機１００の動作一例を説明する。まず、ぱちんこ遊技機１００の起動等に応じて、主制御基板３１０は個体識別値を生成してデータ記憶部３１１等に記憶する。そして、主制御基板３１０は個体識別値を有する認証情報１０２０を生成しても、直ちに履歴生成方式を切り替えない。その後、主制御基板３１０は、個体識別値を有する認証情報１０２０が出現する毎に出現回数を計数し、該出現回数が切替条件を満たしたときに履歴生成方式を切り替える。一方、周辺基板３３０の後段部２０２Ｂは、個体識別値を有する認証情報１０２０を受信しても、直ちに履歴生成方式を切り替えない。その後、周辺基板３３０は、個体識別値を有する認証情報１０２０を受信した受信回数を計数し、該受信回数が切替条件を満たしたときに履歴生成方式を切り替える。
【０１６０】
以上説明したぱちんこ遊技機１００によれば、主制御部２０１は個体識別値を生成するようにしたことから、主制御部２０１に個体識別値を予め記憶しておく必要がなくなるため、ぱちんこ遊技機１００における主制御部２０１の認証のために予め記憶しておくデータ量の増加を抑制することができる。また、主制御部２０１のデータが不正に解析されても、前記生成する個体識別値は予め記憶していないため、主制御部２０１の認証に対する不正解析の防止に貢献することができる。そして、主制御部２０１が制御コマンドの履歴を示す履歴データ又は個体識別値の何れか一方を有する認証情報１０２０を後段部２０２Ｂに送信し、個体識別値を有する認証情報１０２０の送信に応じて履歴データを生成する履歴生成方式を切り替えるようにしたことから、履歴生成方式を切り替えて履歴データを生成することができるため、履歴データの生成方式の解析を困難にすることができ、且つ、認証情報１０２０が履歴データを有しているのか個体識別値を有しているのかの推測を困難にすることができる。また、後段部２０２Ｂは、個体識別値を有する認証情報１０２０の受信に応じて後段側履歴データの履歴生成方式を主制御部２０１と同様に切り替えればよいため、主制御部２０１と同期しやすく、認証情報１０２０に不正が生じると履歴生成方式が一致しなくなり、不正の防止に貢献することができる。そして、後段部２０２Ｂは、履歴データに基づいて制御コマンドの通信継続性を確認して認証するようにしたことから、不正な制御コマンドによる不正な通信切り替えを検出することができるため、不正な制御コマンドを周辺部２０２Ａに送信されるのを防止でき、不正な通信切り替え防止に貢献することができる。そして、履歴生成方式を切り替えるようにしたことから、生成する履歴データの継続性がなくなり、制御コマンドと履歴生成方式に着目して不正に解析しても、制御コマンドの出現順序と履歴データの出現順序との関連性（対応関係など）を推測することが困難となるため、不正な解析者が認証情報を不正に利用することを防止できる。また、後段部２０２Ｂが主制御部２０１に対する認証処理を行い、その後段認証結果を周辺部２０２Ａに送信するようにしたことから、周辺部２０２Ａは認証処理を行わずに後段認証結果を参照するだけで良いため、周辺部２０２ＡのＣＰＵ２４１の処理負荷を軽減することができる。さらに、主制御部２０１がぱちんこ遊技機１００の起動時から認証情報１０２０の生成時までの間に個体識別値を生成して予め記憶しておくことで、認証情報の生成時に複雑な演算を行う必要がなくなり、主制御部２０１の処理負担の増加を防止できる。また、後段部２０２Ｂが主制御部２０１からの制御コマンドの履歴を管理するようにしたことから、周辺部２０２Ａでは制御コマンドの履歴管理が不要となるため、セキュリティの向上による周辺部２０２Ａの処理負担の増加を防止することができる。しかも、周辺部２０２Ａは、主制御部２０１から受信した制御コマンドを後段部２０２Ｂに転送して所定の処理を行うことができることから、周辺部２０２Ａと後段部２０２Ｂが同時に処理を行うことができるため、周辺部２０２Ａにおける所定の処理に遅れが生じることを防止できる。従って、制御コマンドの通信継続性が確認できて、認証に用いる認証情報の解析を困難にすることができ且つ周辺部２０２ＡのＣＰＵ２４１の処理負荷を軽減することができる。
【０１６１】
上述したぱちんこ遊技機１００において、主制御基板３１０及び周辺基板３３０の後段部２０２Ｂは、個体識別値の出現及び受信の回数を計数し、該回数が切替条件を満たしたときに履歴生成方式を切替方式で切り替えるようにしたことから、生成した履歴データの継続性と履歴生成方式の切替タイミングをより一層複雑化することができるため、不正な解析をより一層困難にすることができる。
【０１６２】
また、上述したぱちんこ遊技機１００において、履歴データ及び後段側履歴データが複数回分の制御コマンドの履歴を示すようにすれば、認証情報１０２０の送信回数を減らしても、その間に生じた制御コマンドの不正を検出することができるため、認証精度の向上を図ることができる。そして、履歴データ及び後段側履歴データを過去の履歴データを演算した値とすることで、不正な解析者による解析をより一層困難とすることができる。
【０１６３】
次に、上述した実施例１のぱちんこ遊技機１００において、相異なる複数の個体識別値を用いる場合、複数の個体識別値の各々に複数の履歴生成方式を切り替えるための切替情報を対応付けることができる。
【０１６４】
例えば、図２０に示すように、主制御基板３１０は、個体識別値Ｃ１に切替情報Ｈ１、個体識別値Ｃ２に切替情報Ｈ２を対応付けてデータ記憶部３１１に記憶する。そして、切替情報Ｈ１、Ｈ２は、例えば、履歴生成方式Ｄ１と履歴生成方式Ｄ２、複数の履歴生成方式を示すテーブルに対して「１ずらす」と「３ずらす」、等が各々設定される。そして、上述した選択部３１４は、履歴データと個体識別値Ｃ１と個体識別値Ｃ２の３つの選択肢の中から１つを無作為に選択する。上述した切替部３１６は、選択部３１４が個体識別値Ｃ１を選択した場合は切替情報Ｈ１、また、選択部３１４が個体識別値Ｃ２を選択した場合は切替情報Ｈ２にそれぞれ基づいて履歴生成方式を切り替える。また、周辺基板３３０の後段部２０２Ｂは、主制御基板３１０の個体識別値Ｃ１、Ｃ２の各々と一致する期待値Ｂ１、Ｂ２に前記切替情報Ｈ１、Ｈ２を対応付けて後段側記憶部３３２に記憶する。そして、上述した後段側切替部３３６は、後段認証結果データ生成部３３４が個体識別値Ｃ１と期待値Ｂ１との一致により認証を成立した場合は切替情報Ｈ１、また、後段認証結果データ生成部３３４が個体識別値Ｃ２と期待値Ｂ２との一致により認証を成立した場合は切替情報Ｈ２にそれぞれ基づいて履歴生成方式を切り替える。
【０１６５】
このように、ぱちんこ遊技機１００を構成しても、履歴生成方式を個体識別値の出現、受信に応じて切り替えることができるため、上述した実施例１と同様の作用効果を得ることができる。また、主制御部２０１の複数の個体識別値と後段部２０２Ｂの複数の期待値とに切替情報Ｈ１、Ｈ２を対応付けておき、その切替情報Ｈ１、Ｈ２に基づいて履歴生成方式を切り替えるようにしたことから、生成した履歴データと履歴生成方式の切替タイミングをより一層複雑化することができるため、不正な解析をより一層困難にすることができる。また、認証情報１０２０が履歴データと個体識別値との何れを有しているかの推測も困難になるため、認証情報の不正利用を防止することができる。
【０１６６】
［実施例２］
以下に、上述したぱちんこ遊技機１００の実施例２を説明する。なお、上述した実施例１の構成と同一部分については、同一の符号を付して異なる部分のみを詳細に説明する。
【０１６７】
（主制御基板および周辺基板の機能的構成）
まず、ぱちんこ遊技機１００は、上述した図２に示す制御部２００を備えている。制御部２００は、主制御部２０１と、演出制御部（周辺部）２０２Ａと、後段部２０２Ｂと、賞球制御部２０３と、を有している。そして、ぱちんこ遊技機１００は、図２１に示すように、主制御部２０１としての機能を有する主制御基板３１０と、上述した演出制御部２０２Ａと後段部２０２Ｂを有する周辺基板３３０と、を有して構成している。そして、主制御基板３１０は周辺基板３３０の周辺部２０２Ａと通信可能なように電気的に接続されている。
【０１６８】
主制御基板３１０は、上述したデータ記憶部３１１、個体識別値生成部３１２、履歴データ生成部３１３、切替部３１６、主制御側送信部３１７と、第１認証情報生成部３１５ａと、第２認証情報生成部３１５ｂと、決定部３１９と、を有して構成している。
【０１６９】
第１認証情報生成部３１５ａは、本発明の第１認証情報生成手段に相当し、周辺基板３３０の後段部２０２Ｂが主制基板（主制御部）３１０の認証に用いる前記認証情報１０２０を、前記履歴データ生成部３１３が生成した履歴データを認証データとして有するように生成する。即ち、第１認証情報生成部３１５ａは、上述した図１２に示すデータ種別Ｋ１の認証情報１０２０を生成する。
【０１７０】
第２認証情報生成部３１５ｂは、本発明の第２認証情報生成手段に相当し、後述する決定部３１９が切り替えると決定した場合、前記個体識別値生成部３１２によって生成されてデータ記憶部（個体識別値記憶手段）３１１が記憶している個体識別値を前記認証データとして有するように前記認証情報１０２０を生成する。即ち、第２認証情報生成部３１５ｂは、上述した図１２に示すデータ種別Ｋ２の認証情報１０２０を生成する。
【０１７１】
なお、第１認証情報生成部３１５ａと第２認証情報生成部３１５ｂは、別体として構成しても良いし、また、上述した認証情報生成部３１５のように、一体として構成しても良い。
【０１７２】
決定部３１９は、本発明の決定手段に相当し、前記履歴データ生成部３１３の履歴生成方式を切り替えるか否かを無作為に決定する。決定部３１９は、乱数等を用いて、切り替えの発生、即ち個体識別値を有する認証情報を生成（発生）する確率が所定の頻度となるように、切り替えるか否かを無作為に判定する。即ち、決定部３１９は、個体識別値の出現頻度を調整することができることから、複数の履歴データの中に不規則に個体識別値を紛れ込ませることができるため、履歴データか個体識別値かの区別の推測を困難にすることができる。そして、前記切替部３１６は、決定部３１９による切り替えるとの決定に応じて、履歴データ生成部（履歴データ生成手段）３１２の履歴生成方式を、予め定められた複数の履歴生成方式の中から予め定められた切替方式で切り替え、データ記憶部３１１の履歴生成方式データに設定する。前記切替部３１６は、例えば、２種類の履歴生成方式を交互に切り替える、複数の履歴生成方式を順番に切り替える、等の実施形態とすることができる。
【０１７３】
前記主制御側送信部３１７は、第１認証情報生成部３１５ａが生成した履歴データを有する認証情報１０２０と、第２認証情報生成部３１５ｂが生成した固体識別値を有する認証情報１０２０と、周辺基板３３０の周辺部２０２Ａを制御するための複数の制御コマンドとの各々を周辺基板３３０の周辺部２０２Ａに送信することで、それらを周辺部２０２Ａから後段部２０２Ｂに送信させる。そして、前記主制御側送信部３１７は、認証情報を前記認証情報信号として周辺基板３３０の周辺部２０２Ａに送信する。
【０１７４】
続いて、図２１に示す周辺基板３３０の周辺部２０２Ａは、実施例１と同様に、上述した転送部３５１、周辺側受信部３５２、処理部３５３を有して構成している。そして、後段部２０２Ｂも、実施例１と同様に、後段側受信部３３１、後段側記憶部３３２、後段側履歴データ生成部３３３、後段認証結果データ生成部３３４、後段側送信部３３５、後段側切替部３３６を有して構成している。このように周辺基板３３０は、実施例１と同様の構成で実現できるため、その説明は省略する。
【０１７５】
このように構成したぱちんこ遊技機１００は、個体識別値をぱちんこ遊技機１００の起動後に主制御基板３１０によって生成するようにしたことから、主制御基板３１０が個体識別するための個体識別値を予め記憶しておく必要がなくなり、不正な解析を困難にすることができる。また、履歴データ又は個体識別値の何れか一方が設定された認証情報を主制御基板３１０から周辺基板３３０の後段部２０２Ｂに送信し、周辺基板３３０の後段部２０２Ｂは当該認証情報の履歴データに基づいて制御コマンドの通信の継続性に基づいた認証を行い、また、当該認証情報の個体識別値に基づいて主制御基板３１０の個体識別に基づいた認証を行う構成を採用している。そして、主制御基板３１０は、無作為に切り替えると決定したときに、履歴生成方式を前記切替方式で切り替え且つ固体識別値を有する認証情報を周辺基板３３０に送信し、また、周辺基板３３０の後段部２０２Ｂは、個体識別値を有する認証情報の受信に応じて履歴生成方式を同一の切替方式で切り替えるようにしたことから、認証情報の履歴データを不規則に変化させることができるため、認証情報に対する不正な解析を困難にすることができる。さらに、ぱちんこ遊技機１００は、主制御基板３１０が通常時は履歴データを有する認証情報を生成して周辺基板３３０の後段部２０２Ｂに周辺部２０２Ａを介して送信し、偶に、主制御基板３１０が個体識別値を有する認証情報を生成して周辺基板３３０の後段部２０２Ｂに周辺部２０２Ａを介してに送信するようにしたことから、複数の履歴データの中に履歴データを偶に紛れ込ませることができるため、履歴データの不正な解析を困難にすることができる。従って、主制御部２０１から周辺基板３３０の後段部２０２Ｂに単独で認証情報を送信しても、それが容易に解析されることを困難にすることができる。
【０１７６】
また、実施例２についても、主制御基板３１０のＣＰＵ２１１が請求項中の第１コンピュータ、周辺基板３３０の周辺部（演出制御部）２０２ＡのＣＰＵ２４１が請求項中の第２コンピュータ、周辺基板３３０の後段部２０２ＢのＣＰＵ２１が請求項中の第３コンピュータとして機能させる場合について説明する。そして、主制御基板３１０のＲＯＭ２１２は、前記第１コンピュータを請求項中の個体識別値生成手段、履歴データ生成手段、第１認証情報生成手段、第２認証情報生成手段、切替手段、主制御側送信手段、決定手段、等の各種手段として機能させるための主制御側認証プログラムを記憶している。また、周辺基板３３０の周辺部２０２ＡのＲＯＭ２４２は、前記第２コンピュータを請求項中の転送手段、周辺側受信手段、処理手段、等の各種手段として機能させるための周辺側認証プログラムを記憶している。また、周辺基板３３０の後段部２０２ＢのＲＯＭ２２は、前記第３コンピュータを請求項中の後段側受信手段、後段側履歴データ生成手段、後段認証結果データ生成手段、後段側送信手段、後段側切替手段、等の各種手段として機能させるための後段側認証プログラムを記憶している。即ち、主制御側認証プログラムと周辺側認証プログラムと後段側認証プログラムとによって本発明の認証プログラムを構成している。
【０１７７】
（認証情報信号の送受信に関する処理２）
以下に、主制御部２０１と周辺基板３３０の後段部２０２Ｂとの間で行う上記認証情報信号の通信例２を説明する。まず、主制御部２０１のＣＰＵ２１１（第１コンピュータ）による上記認証情報信号の送信手順２の一例を、図２２のフローチャートを参照して説明する。
【０１７８】
ぱちんこ遊技機１００の電源がＯＮ（投入）されると、主制御部２０１は図２２に示す被認証側処理を実行し、ステップＳ１６００において、上記個体識別値生成部３１２に示したように個体識別値を生成してデータ記憶部３１１に記憶し、その後ステップＳ１６０１の処理に進む。なお、主制御部２０１が複数の個体識別値を用い且つその一部を生成する場合、一部の個体識別値を生成し、残りの生成しない個体識別値は予め定められた値を前記生成しない個体識別値とする。
【０１７９】
主制御部２０１は、ステップＳ１６０１において、データ記憶部３１１に記憶されている制御コマンドに基づいて、制御コマンドが発生しているか否かを判定する。主制御部２０１は、制御コマンドが発生していないと判定した場合（Ｓ１６０１：Ｎｏ）、ステップＳ１６０３の処理に進む。一方、主制御部２０１は、制御コマンドが発生していると判定した場合（Ｓ１６０１：Ｙｅｓ）、ステップＳ１６０２において、データ記憶部３１１の履歴生成方式データと該履歴生成方式が生成対象とする制御コマンドデータに基づいて、履歴データを生成してデータ記憶部３１１に記憶し、その後ステップＳ１６０３の処理に進む。
【０１８０】
主制御部２０１は、ステップＳ１６０３において、予め定められた認証タイミングであるか否かを判定する。主制御部２０１は、認証タイミングではないと判定した場合（Ｓ１６０３：Ｎｏ）、ステップＳ１６１１の処理に進む。一方、主制御部２０１は、認証タイミングであると判定した場合（Ｓ１６０３：Ｙｅｓ）、ステップＳ１６０４の処理に進む。
【０１８１】
主制御部２０１は、ステップＳ１６０４において、乱数等に基づいて履歴生成方式を切り替えるか否かを決定し、該決定結果をＲＡＭ２１３等に記憶し、その後ステップＳ１６０５の処理に進む。そして、主制御部２０１は、ステップＳ１６０５において、前記決定結果に基づいて、切り替えると決定したか否かを判定する。主制御部２０１は、切り替えないと決定していると判定した場合（Ｓ１６０５：Ｎｏ）、ステップＳ１６０６において、識別部１０２１に認証コマンドＣ、データ部１０２２に認証データとしての履歴データを設定した認証情報（履歴データ）１０２０を生成してデータ記憶部３１１に記憶し、その後ステップＳ１６０９の処理に進む。
【０１８２】
一方、主制御部２０１は、切り替えると決定していると判定した場合（Ｓ１６０５：Ｙｅｓ）、ステップＳ１６０７において、識別部１０２１に認証コマンドＣ、データ部１０２２に認証データとしての個体識別値を設定した認証情報（個体識別値）１０２０を生成してデータ記憶部３１１に記憶し、その後ステップＳ１６０８の処理に進む。そして、主制御部２０１は、ステップＳ１６０８において、予め定められた複数の履歴生成方式の中から１つの履歴生成方式を前記切替方式で切り替え、該切り替えた履歴生成方式となるようにデータ記憶部３１１の履歴生成方式データを更新し、その後ステップＳ１６０９の処理に進む。
【０１８３】
主制御部２０１は、ステップＳ１６０９において、前記今回生成した認証情報１０２０を、周辺基板３３０の後段部２０２Ｂとの間で予め定められた暗号化方法で暗号化し、ステップＳ１６１０において、前記暗号化した認証情報１０２０に基づいて認証情報信号を生成して送信部３１６から後段部２０２Ｂに周辺部２０２Ａを介して送信し、その後ステップＳ１６１１の処理に進む。なお、主制御部２０１と後段部２０２Ｂとの間で暗号化が不要な場合は、ステップＳ１６０９の処理を削除して、認証情報１０２０をそのまま後段部２０２Ｂに周辺部２０２Ａを介して送信する。
【０１８４】
主制御部２０１は、ステップＳ１６１１において、ぱちんこ遊技機１００の電源がオフされたか否かを判定する。そして、主制御部２０１は、電源がオフされていないと判定した場合（Ｓ１６１１：Ｎｏ）、ステップＳ１６０１の処理に戻り、一連の処理を繰り返す。一方、主制御部２０１は、電源がオフされたと判定した場合（Ｓ１６１１：Ｙｅｓ）、本フローチャートによる処理を終了する。
【０１８５】
続いて、周辺基板３３０における周辺部２０２ＡのＣＰＵ２４１（第２コンピュータ）が行う上記制御信号と上記後段認証結果信号の受信処理の手順、及び、後段部２０２ＢのＣＰＵ２１（第３コンピュータ）が行う前記認証情報信号の受信処理の手順は、実施例１の図１６に示す処理、及び、図１５に示す認証側処理をそのまま用いることができるため、詳細な説明は省略する。
【０１８６】
（履歴生成方式の切り替え手順例２）
次に、ぱちんこ遊技機１００において、主制御基板３１０と周辺基板３３０の後段部２０２Ｂが第１履歴生成方式と第２履歴生成方式を順次切り替える場合の手順の一例を、図２３の図面を参照して説明する。
【０１８７】
図２３において、被認証者である主制御基板３１０は、ぱちんこ遊技機１００の起動等に応じて個体識別値を生成し、該生成した個体識別値をデータ記憶部３１１に記憶する（Ｓ１７００）。その後、主制御基板３１０は、ぱちんこ遊技機１００の動作に応じて制御コマンドを周辺基板３３０の周辺部２０２Ａに送信すると、該制御コマンドをデータ記憶部３１１に記憶する（Ｓ１７０１）。そして、主制御基板３１０は、該送信した制御コマンドと第１履歴生成方式に基づいて履歴データを生成してデータ記憶部３１１に記憶する（Ｓ１７０２）。一方、周辺基板３３０の周辺部２０２Ａは、制御コマンドを受信すると、該制御コマンドを周辺基板３３０の後段部２０２Ｂに転送する（Ｓ１７４１）。そして、周辺部２０２Ａは、該受信した制御コマンドに対応した所定の処理を行う（Ｓ１７４２）。一方、後段部２０２Ｂは、周辺部２０２Ａから受信した制御コマンドを後段側記憶部３３２に記憶し（Ｓ１７７１）、主制御基板３１０と同様に、該受信した制御コマンドと第１履歴生成方式に基づいて後段側履歴データを生成して後段側記憶部３３２に記憶する（Ｓ１７７２）。
【０１８８】
その後、主制御基板３１０は、履歴生成方式を切り替えないと無作為に決定すると（Ｓ１７０３）、該履歴生成方式を切り替えないに予め対応付けられた履歴データを認証データとして有する認証情報１０２０を生成して周辺基板３１０の周辺部２０２Ａに送信する（Ｓ１７０４）。一方、周辺基板３３０の周辺部２０２Ａは、主制御基板３１０から受信した認証情報を周辺基板３３０の後段部２０２Ｂに転送する（Ｓ１７４３）。一方、後段部２０２Ｂは、受信した認証情報１０２０の認証データが後段側履歴データと一致することから、周辺基板３３０と主制御基板３１０との制御コマンドの通信の継続性に基づく認証を行う（Ｓ１７７３）。そして、後段部２０２Ｂは、その認証結果を示す後段認証結果データを生成して周辺基板３３０の周辺部２０２Ａに送信する（Ｓ１７７４）。そして、周辺部２０２Ａは、受信した後段認証結果データをＲＡＭ２４３等に記憶する。
【０１８９】
主制御基板３１０は、次の制御コマンドを周辺基板３３０の周辺部２０２Ａに送信すると、該制御コマンドをデータ記憶部３１１に記憶する（Ｓ１７０５）。そして、主制御基板３１０は、該送信した制御コマンドと第１履歴生成方式に基づいて履歴データを生成してデータ記憶部３１１に記憶する（Ｓ１７０６）。一方、周辺基板３３０の周辺部２０２Ａは、制御コマンドを受信すると、該制御コマンドを周辺基板３３０の後段部２０２Ｂに転送する（Ｓ１７４４）。そして、周辺部２０２Ａは、前記後段認証結果データが正常を示していると、該受信した制御コマンドに対応した所定の処理を行う（Ｓ１７４５）。一方、後段部２０２Ｂは、周辺部２０２Ａから受信した制御コマンドを後段側記憶部３３２に記憶し（Ｓ１７７５）、主制御基板３１０と同様に、該受信した制御コマンドと第１履歴生成方式に基づいて後段側履歴データを生成して後段側記憶部３３２に記憶する（Ｓ１７７６）。
【０１９０】
その後、主制御基板３１０は、履歴データと個体識別値のうちの個体識別値を無作為に選択すると（Ｓ１７０７）、該履歴生成方式を切り替えるに予め対応付けられた個体識別値を認証データとして有する認証情報１０２０を生成して周辺基板３１０の周辺部２０２Ａに送信する（Ｓ１７０８）。そして、主制御基板３１０は、第１履歴生成方式を第２履歴生成方式に切り替えてデータ記憶部３１１に記憶する（Ｓ１７０９）。一方、周辺基板３３０の周辺部２０２Ａは、主制御基板３１０から受信した認証情報１０２０を周辺基板３３０の後段部２０２Ｂに転送する（Ｓ１７４６）。一方、後段部２０２Ｂは、受信した認証情報１０２０の認証データが期待値と一致することから、主制御基板３１０の個体認証に基づく認証を行う（Ｓ１７７７）。そして、後段部２０２Ｂは、その認証結果を示す後段認証結果データを生成して周辺基板３３０の周辺部２０２Ａに送信する（Ｓ１７７８）。そして、周辺部２０２Ａは、受信した後段認証結果データをＲＡＭ２４３等に記憶する。
【０１９１】
主制御基板３１０は、次の制御コマンドを周辺基板３３０の周辺部２０２Ａに送信すると、該制御コマンドをデータ記憶部３１１に記憶する（Ｓ１７１０）。そして、主制御基板３１０は、該送信した制御コマンドと第２履歴生成方式に基づいて履歴データを生成してデータ記憶部３１１に記憶する（Ｓ１７１１）。一方、周辺基板３３０の周辺部２０２Ａは、制御コマンドを受信すると、該制御コマンドを周辺基板３３０の後段部２０２Ｂに転送する（Ｓ１７４７）。そして、周辺部２０２Ａは、前記後段認証結果データが正常を示していると、該受信した制御コマンドに対応した所定の処理を行う（Ｓ１７４８）。一方、後段部２０２Ｂは、周辺部２０２Ａから受信した制御コマンドを後段側記憶部３３２に記憶し（Ｓ１７７９）、主制御基板３１０と同様に、該受信した制御コマンドと第２履歴生成方式に基づいて後段側履歴データを生成して後段側記憶部３３２に記憶する（Ｓ１７８０）。
【０１９２】
このように生成された履歴データ及び後段側履歴データは、切り替えられた第２履歴生成方式で生成されていることから、それまでの履歴データ及び後段側履歴データは生成方式とは異なっているため、不正に解析するのは困難となっている。そして、以降も同様の処理を行う。
【０１９３】
以上説明したぱちんこ遊技機１００によれば、実施例１と同様に、主制御部２０１は個体識別値を生成するようにしたことから、主制御部２０１に個体識別値を予め記憶しておく必要がなくなるため、ぱちんこ遊技機１００における主制御部２０１の認証のために予め記憶しておくデータ量の増加を抑制することができる。また、主制御部２０１のデータが不正に解析されても、前記生成する個体識別値は予め記憶していないため、主制御部２０１の認証に対する不正解析の防止に貢献することができる。そして、主制御部２０１が制御コマンドの履歴を示す履歴データ又は個体識別値の何れか一方を有する認証情報１０２０を後段部２０２Ｂに送信し、個体識別値を有する認証情報１０２０の送信に応じて履歴データを生成する履歴生成方式を切り替えるようにしたことから、履歴生成方式を切り替えて履歴データを生成することができるため、履歴データの生成方式の解析を困難にすることができ、且つ、認証情報が履歴データを有しているのか個体識別値を有しているのかの推測を困難にすることができる。また、後段部２０２Ｂは、個体識別値を有する認証情報１０２０の受信に応じて後段側履歴データの履歴生成方式を主制御部２０１と同様に切り替えればよいため、主制御部２０１と同期しやすく、認証情報１０２０に不正が生じると履歴生成方式が一致しなくなり、不正の防止に貢献することができる。そして、後段部２０２Ｂは、履歴データに基づいて制御コマンドの通信継続性を確認して認証するようにしたことから、不正な制御コマンドによる不正な通信切り替えを検出することができるため、不正な制御コマンドを周辺部２０２Ａに送信されるのを防止でき、不正な通信切り替え防止に貢献することができる。そして、履歴生成方式を切り替えるようにしたことから、生成する履歴データの継続性がなくなり、制御コマンドと履歴生成方式に着目して不正に解析しても、制御コマンドの出現順序と履歴データの出現順序との関連性（対応関係など）を推測することが困難となるため、不正な解析者が認証情報を不正に利用することを防止できる。また、後段部２０２Ｂが主制御部２０１に対する認証処理を行い、その後段認証結果を周辺部２０２Ａに送信するようにしたことから、周辺部２０２Ａは認証処理を行わずに後段認証結果を参照するだけで良いため、周辺部２０２ＡのＣＰＵ２４１の処理負荷を軽減することができる。さらに、主制御部２０１がぱちんこ遊技機１００の起動時から認証情報１０２０の生成時までの間に個体識別値を生成して予め記憶しておくことで、認証情報の生成時に複雑な演算を行う必要がなくなり、主制御部２０１の処理負担の増加を防止できる。また、後段部２０２Ｂが主制御部２０１からの制御コマンドの履歴を管理するようにしたことから、周辺部２０２Ａでは制御コマンドの履歴管理が不要となるため、セキュリティの向上による周辺部２０２Ａの処理負担の増加を防止することができる。しかも、周辺部２０２Ａは、主制御部２０１から受信した制御コマンドを後段部２０２Ｂに転送して所定の処理を行うことができることから、周辺部２０２Ａと後段部２０２Ｂが同時に処理を行うことができるため、周辺部２０２Ａにおける所定の処理に遅れが生じることを防止できる。従って、制御コマンドの通信継続性が確認できて、認証に用いる認証情報１０２０の解析を困難にすることができ且つ周辺部２０２ＡのＣＰＵ２４１の処理負荷を軽減することができる。
【０１９４】
上述したぱちんこ遊技機１００において、履歴データ及び後段側履歴データが複数回分の制御コマンドの履歴を示すようにすれば、認証情報１０２０の送信回数を減らしても、その間に生じた制御コマンドの不正を検出することができるため、認証精度の向上を図ることができる。そして、履歴データ及び後段側履歴データを過去の履歴データを演算した値とすることで、不正な解析者による解析をより一層困難とすることができる。
【０１９５】
また、本実施例では、主制御基板３１０の決定部３１９が履歴生成方式を切り替えないとの決定に応じて、第１認証情報生成部３１５ａが履歴データを有する認証情報１０２０を生成する場合について説明した。これに代えて、第１認証情報生成部３１５ａが履歴データを有する認証情報１０２０を生成した後、所定のタイミングで決定部３１９が履歴生成方式を切り替えるか否かを判定する実施例とすることもできる。即ち、主制御基板３１０は、通常、履歴データを有する認証情報１０２０を生成し、決定部３１９が切り替えると決定したあるときに、個体識別値を有する認証情報１０２０を生成する。このような構成にすることで、個体識別値の通信頻度を低くし、履歴データの通信頻度を高くすることができる。
【０１９６】
なお、本実施形態で説明した主制御部及び周辺部の制御方法は、予め用意されたプログラムをパーソナル・コンピュータやワークステーション等のコンピュータで実行することにより実現することができる。このプログラムは、ハードディスク、ＣＤ−ＲＯＭ、ＭＯ、ＤＶＤ、等のコンピュータで読み取り可能な記録媒体に記録され、コンピュータによって記録媒体から読み出されることによって実行される。また、このプログラムは、インターネット等のネットワークを介して配布することが可能な電送媒体であってもよい。
【産業上の利用可能性】
【０１９７】
以上のように、本発明は、主制御部への不正が懸念される遊技機やその遊技機に搭載される制御基板に有用であり、特に、ぱちんこ遊技機、スロット遊技機、雀球遊技機、その他各種の遊技機に適用することができる。これらの遊技機においても、上記各実施の形態と同様に構成することにより、上記各実施の形態と同様の効果を得ることができる。
【符号の説明】
【０１９８】
１００  ぱちんこ遊技機
２０１  主制御部
２０２Ａ  周辺部（演出制御部）
２０２Ｂ  後段部
３１０  主制御基板
３１１  データ記憶部
３１２  個体識別値生成部
３１３  履歴データ生成部
３１４  選択部
３１５  認証情報生成部
３１５ａ  第１認証情報生成部
３１５ｂ  第２認証情報生成部
３１６  切替部
３１７  主制御側送信部
３１８  計数部
３１９  決定部
３３０  周辺基板
３３１  後段側受信部
３３２  後段側記憶部
３３３  後段側履歴データ生成部
３３４  後段認証結果データ生成部
３３５  後段側送信部
３３６  後段側切替部
３３７  後段側計数部
３５１  転送部
３５２  周辺側受信部
３５２  処理部
１０２０  認証情報
【図１】
0005228092.tif 000002
【図２】
0005228092.tif 000003
【図３】
0005228092.tif 000004
【図４】
0005228092.tif 000005
【図５】
0005228092.tif 000006
【図６】
0005228092.tif 000007
【図７】
0005228092.tif 000008
【図８】
0005228092.tif 000009
【図９】
0005228092.tif 000010
【図１０】
0005228092.tif 000011
【図１１】
0005228092.tif 000012
【図１２】
0005228092.tif 000013
【図１３】
0005228092.tif 000014
【図１４】
0005228092.tif 000015
【図１５】
0005228092.tif 000016
【図１６】
0005228092.tif 000017
【図１７】
0005228092.tif 000018
【図１８】
0005228092.tif 000019
【図１９】
0005228092.tif 000020
【図２０】
0005228092.tif 000021
【図２１】
0005228092.tif 000022
【図２２】
0005228092.tif 000023
【図２３】
0005228092.tif 000024